(57)【特許請求の範囲】
【請求項１】
異なる色のトナー像を形成するトナー像形成手段を複数備え、露光用ＬＥＤヘッドを複数本主走査方向に千鳥状に隣接する露光用ＬＥＤ間で一部重ね合わせ部を形成して配列し、該複数の露光用ＬＥＤヘッドによって広幅に露光を行い、感光ドラムに静電潜像を形成し、前記各トナー像形成手段によって前記感光ドラムにトナー像を形成し、該トナー像を順次転写して重ね合わせてカラー画像を形成する中間転写ベルトを備える画像形成装置において、
前記複数本の露光用ＬＥＤヘッドの各ＬＥＤヘッドの露光によって前記中間転写ベルト上に形成される調整用のトナー像に光を照射し、反射する光量によってトナー像の有無を検出して該調整用のトナー像の形成位置を検出するカラーセンサーと、
前記複数本の露光用ＬＥＤヘッドの各ＬＥＤヘッドの一方の端部に設定値に基づいて形成されるＬＥＤヘッドスキュー調整用の第１のレジストレーションマークと他方の端部に設定値に基づいて形成されるＬＥＤヘッドスキュー調整用の第２のレジストレーションマークとから、前記カラーセンサーによって前記ＬＥＤヘッドスキュー調整用の第１のレジストレーションマークと前記ＬＥＤヘッドスキュー調整用の第２のレジストレーションマークとの傾斜を演算し、ブラックユニットの複数本の露光用ＬＥＤヘッドの各ＬＥＤヘッドの傾斜と、シアンユニットの複数本の露光用ＬＥＤヘッドの各ＬＥＤヘッドの傾斜と、マゼンタユニットの複数本の露光用ＬＥＤヘッドの各ＬＥＤヘッドの傾斜と、イエローユニットの複数本の露光用ＬＥＤヘッドの各ＬＥＤヘッドの傾斜とが一致するように各ＬＥＤヘッド間の傾きのズレを調整するＬＥＤヘッドスキュー調整手段と、
前記ブラックユニットの複数本の露光用ＬＥＤヘッドの重なり合うＬＥＤヘッドの重なり部となる側の一方のＬＥＤヘッドの端部に形成される主走査方向ＬＥＤヘッドつなぎ目調整用の第１のレジストレーションマークとＬＥＤヘッドの重なり部となる側の他方のＬＥＤヘッドの端部に設定値に基づいて形成される主走査方向ＬＥＤヘッドつなぎ目調整用の第２のレジストレーションマークとの距離を演算し、前記主走査方向ＬＥＤヘッドつなぎ目調整用の第２のレジストレーションマークの実際に中間転写ベルト上に作成される形成位置が設定値に基づいて中間転写ベルト上に形成されるべき位置と一致するように、ブラックユニットの複数本の露光用ＬＥＤヘッドの主走査方向ＬＥＤヘッドつなぎ目のズレと、シアンユニットの複数本の露光用ＬＥＤヘッドの主走査方向ＬＥＤヘッドつなぎ目のズレと、マゼンタユニットの複数本の露光用ＬＥＤヘッドの主走査方向ＬＥＤヘッドつなぎ目のズレと、イエローユニットの複数本の露光用ＬＥＤヘッドの主走査方向ＬＥＤヘッドつなぎ目のズレを調整する主走査方向ＬＥＤヘッドつなぎ目調整手段と、
前記ブラックユニットの複数本の露光用ＬＥＤヘッドの重なり合うＬＥＤヘッドの重なり部となる側の一方のＬＥＤヘッドの端部に所定の傾斜を持たせて形成される副走査方向ＬＥＤヘッドつなぎ目調整用の第１のレジストレーションマークとＬＥＤヘッドの重なり部となる側の他方のＬＥＤヘッドの端部に所定の傾斜を持たせて設定値に基づいて形成される副走査方向ＬＥＤヘッドつなぎ目調整用の第２のレジストレーションマークとの距離を演算し、前記副走査方向ＬＥＤヘッドつなぎ目調整用の第２のレジストレーションマークの実際に中間転写ベルト上に作成される形成位置が設定値に基づいて中間転写ベルト上に形成されるべき位置と一致するように、ブラックユニットの複数本の露光用ＬＥＤヘッドの副走査方向ＬＥＤヘッドつなぎ目のズレと、シアンユニットの複数本の露光用ＬＥＤヘッドの副走査方向ＬＥＤヘッドつなぎ目のズレと、マゼンタユニットの複数本の露光用ＬＥＤヘッドの副走査方向ＬＥＤヘッドつなぎ目のズレと、イエローユニットの複数本の露光用ＬＥＤヘッドの副走査方向ＬＥＤヘッドつなぎ目のズレを調整する副走査方向ＬＥＤヘッドつなぎ目調整手段と、
前記ブラックユニットの複数本の露光用ＬＥＤヘッドの重なり合うＬＥＤヘッドの重なり部となる側の端部に形成される主走査方向カラーレジスト調整用の第１のレジストレーションマークと、前記ブラックユニットのＬＥＤヘッドに対応するシアンユニットの露光用ＬＥＤヘッドの前記ブラックユニットのＬＥＤヘッドの前記端部側に設定値に基づいて形成される主走査方向カラーレジスト調整用の第２のレジストレーションマークとの主走査方向カラーレジストのズレと、前記ブラックユニットのＬＥＤヘッドの重なり部となる側の端部に形成される主走査方向カラーレジスト調整用の第３のレジストレーションマークと、マゼンタユニットの露光用ＬＥＤヘッドの前記ブラックユニットのＬＥＤヘッドの前記端部側に設定値に基づいて形成される主走査方向カラーレジスト調整用の第４のレジストレーションマークとの主走査方向カラーレジストのズレと、前記ブラックユニットのＬＥＤヘッドの重なり部となる側の端部に形成される主走査方向カラーレジスト調整用の第５のレジストレーションマークと、イエローユニットの露光用ＬＥＤヘッドの前記ブラックユニットのＬＥＤヘッドの前記端部側に設定値に基づいて形成される主走査方向カラーレジスト調整用の第６のレジストレーションマークとの主走査方向カラーレジストのズレとを調整する主走査方向カラーレジスト調整手段と、
前記ブラックユニットの複数本の露光用ＬＥＤヘッドの重なり合うＬＥＤヘッドの重なり部となる側の端部に所定の傾斜を持たせて形成される副走査方向カラーレジスト調整用の第１のレジストレーションマークと、前記ブラックユニットのＬＥＤヘッドに対応するシアンユニットの露光用ＬＥＤヘッドの前記ブラックユニットのＬＥＤヘッドの前記端部側に設定値に基づいて所定の傾斜を持たせて形成される副走査方向カラーレジスト調整用の第２のレジストレーションマークとの副走査方向カラーレジストのズレと、前記ブラックユニットのＬＥＤヘッドの重なり部となる側の端部に所定の傾斜を持たせて形成される副走査方向カラーレジスト調整用の第３のレジストレーションマークと、マゼンタユニットの露光用ＬＥＤヘッドの前記ブラックユニットのＬＥＤヘッドの前記端部側に設定値に基づいて所定の傾斜を持たせて形成される副走査方向カラーレジスト調整用の第４のレジストレーションマークとの副走査方向カラーレジストのズレと、前記ブラックユニットのＬＥＤヘッドの重なり部となる側の端部に所定の傾斜を持たせて形成される副走査方向カラーレジスト調整用の第５のレジストレーションマークと、イエローユニットの露光用ＬＥＤヘッドの前記ブラックユニットのＬＥＤヘッドの前記端部側に設定値に基づいて所定の傾斜を持たせて形成される副走査方向カラーレジスト調整用の第６のレジストレーションマークとの副走査方向カラーレジストのズレとを調整する副走査方向カラーレジスト調整手段と、
を設けるとともに、前記ＬＥＤヘッドスキュー調整手段と、前記主走査方向ＬＥＤヘッドつなぎ目調整手段と、前記副走査方向ＬＥＤヘッドつなぎ目調整手段と、前記主走査方向カラーレジスト調整手段と、前記副走査方向カラーレジスト調整手段を順次実行する作動スイッチを設け、
前記作動スイッチを作動することにより、自動的に前記ＬＥＤヘッドスキュー調整手段と、前記主走査方向ＬＥＤヘッドつなぎ目調整手段と、前記副走査方向ＬＥＤヘッドつなぎ目調整手段と、前記主走査方向カラーレジスト調整手段と、前記副走査方向カラーレジスト調整手段とを順次実行する調整実行手段を設けてなる、
ことを特徴とするＬＥＤヘッド調整装置。
【請求項２】
前記カラーセンサーは、
前記複数本の露光用ＬＥＤヘッドの各ＬＥＤヘッドの露光によって前記中間転写ベルト上に形成される調整用のトナー像に光を照射し、反射する光量によってトナー像の有無を検出するものである
ことを特徴とする請求項１に記載のＬＥＤヘッド調整装置。
【請求項３】
前記副走査方向ＬＥＤヘッドつなぎ目調整用の第１のレジストレーションマークと、副走査方向ＬＥＤヘッドつなぎ目調整用の第２のレジストレーションマークは、
前記ブラックユニットの複数本の露光用ＬＥＤヘッドの内の第１のＬＥＤヘッドを露光して、該第１のＬＥＤヘッドの第２のＬＥＤヘッドとの重なり部となる側の端部に所定ドットのラインのトナー像を前記中間転写ベルト上に１ドットずつずらして形成するものである
ことを特徴とする請求項１又は２に記載のＬＥＤヘッド調整装置。
【請求項４】
前記副走査方向カラーレジスト調整手段における副走査方向カラーレジスト調整用の第１のレジストレーションマークと、副走査方向カラーレジスト調整用の第２のレジストレーションマークと、副走査方向カラーレジスト調整用の第３のレジストレーションマークと、副走査方向カラーレジスト調整用の第４のレジストレーションマークと、副走査方向カラーレジスト調整用の第５のレジストレーションマークと、副走査方向カラーレジスト調整用の第６のレジストレーションマークは、
所定ドットのラインのレジストレーションマークを前記中間転写ベルト上に１ドットずつずらして傾斜を持たせて形成したものである
ことを特徴とする請求項１，２又は３に記載のＬＥＤヘッド調整装置。
【発明の詳細な説明】
【技術分野】
【０００１】
本発明は、複写機、プリンタ、プロッタ等の画像形成装置に係り、特に画像形成装置の感光ドラム上に画像データを投影して潜像を形成するＬＥＤヘッドを調整するＬＥＤヘッド調整装置に関する。
【背景技術】
【０００２】
一般に、複写機、レーザービームプリンタ等の画像形成装置においては、コロナ帯電器によって感光ドラム上に均一に帯電を行い、ＬＥＤを用いた光学投影装置によって画像データを感光ドラム上に投影して画像等の潜像を形成し、この画像等の潜像を現像装置によって現像してトナー像を形成している。
そして、カラー画像形成装置においては、従来より、複数の現像装置を備えており、各現像装置によってそれぞれ異なる色の可視画像（トナー像）を形成し、これらトナー像を最終的に同一の記録紙（転写用紙）に重ねて転写する構成となっているものが主流である。
【０００３】
このようなカラー画像形成装置は、特許文献１に示されるように、単色トナー像を形成する作像エンジンを複数備え、各作像エンジンで形成されたトナー像を中間転写ベルトの移動体上で重ね合わせてカラー画像を形成している。すなわち、カラー画像形成装置は、画情報に応じて単色トナー像を形成する作像エンジンがイエロー、シアン、マゼンタ及びブラックの各色毎に設けられており、これら作像エンジンを通過する中間転写ベルトに対して単色トナー像を順次転写し、最終的に４色のトナー像が重なりあった合成トナー像を形成することでフルカラー画像を得ている。
【０００４】
また、カラー画像形成装置は、パーソナルコンピュータ（ＰＣ）のような外部接続された端末装置から、画像データが入力され、画像処理部に出力されて画像形成を行うようになっている。このように形成された画像は、中間転写ベルトにおいて最終的に４色のトナー像を重ね合わせて合成トナー像が形成されるカラー画像を得、この中間転写ベルト上に形成されたカラー画像を転写ロールを用いて記録媒体である記録紙が収納されている給紙装置から供給されてくる記録紙上にカラー画像を転写される。
【０００５】
このカラー画像形成装置は、感光ドラムにＬＥＤヘッドによって露光して静電潜像の形成を行っており、通常、原稿幅に対応する幅のＬＥＤヘッドを用いている。しかし、広幅な原稿に対応する静電潜像を感光ドラムに形成する場合は、原稿の幅に合う幅を有する長尺のＬＥＤヘッドを用いることが考えられる。しかしながら、長尺のＬＥＤヘッド（露光装置）は需要が少ないため値段が高価で、カラー画像形成装置の製造コストが高くなる。
【０００６】
一方、Ａ４用紙、またはＡ３用紙のプリンタは需要があり、これらプリンタに対応するＡ４サイズ用ＬＥＤヘッド、またはＡ３サイズ用ＬＥＤヘッドは汎用されている。このため、原稿の幅（例えば、Ａ０用紙等）に合う長尺のＬＥＤヘッドを使用しようとすると、原稿の幅に合った長尺（例えば、Ａ０）のＬＥＤヘッドを特注で製造する必要があり、カラー画像形成装置が高価なものになる。
【０００７】
そこで、従来は、特許文献２に示されるように、広幅な原稿に対応する静電潜像を感光体に形成するために、例えば、３本の汎用のＡ３サイズ用ＬＥＤヘッドを用い、隣り合うＬＥＤヘッドの端部同士をオーバーラップさせて配列し、広幅露光を行う画像形成装置が用いられている。すなわち、汎用のＡ３サイズ用ＬＥＤヘッドを千鳥状に配置することで、広幅な原稿に対応する静電潜像を感光体に形成することが可能となる。
このように３本の汎用のＡ３サイズ用の第１のＬＥＤヘッド１ａ、第２のＬＥＤヘッド１ｂおよび第３のＬＥＤヘッド１ｃを配列することで、Ａ０幅の露光を可能としている。
【先行技術文献】
【特許文献】
【０００８】
【特許文献１】特開２００５−１８９９０１号公報
【特許文献２】特開２００３−２１１７２６号公報
【発明の概要】
【発明が解決しようとする課題】
【０００９】
このような従来のカラー画像形成装置の場合、汎用されているＡ４サイズ用ＬＥＤヘッド、またはＡ３サイズ用ＬＥＤヘッドを複数本を千鳥状に配置してあるため、各ＬＥＤヘッドにおける感光体に静電潜像を形成する際の位置ズレがないようにして、プリントした画像の高品質を高めることが必要である。
【００１０】
すなわち、各色の感光体ドラムの回転精度、ラスタ走査装置の取付位置誤差、温度変化に伴う各機械要素部品の伸び縮み、中間転写ベルト等の速度変動や蛇行により、移動体上における各単色トナー像の相対的な位置関係が変動してしまい、色ずれ（カラーレジストレーション誤差）が発生し易い状態となっている。
このため、カラー画像形成装置の感光体に静電潜像を形成するための各構成部品の取付精度を上げることが必要である。
【００１１】
そこで、特許文献２に示されるような調整が必要となる。カラー画像形成装置の場合は、イエロー、シアン、マゼンタ及びブラックの各色毎に単色トナー像を形成する作像エンジンを設けており、
これら作像エンジンを通過する中間転写ベルトに対して単色トナー像を順次転写し、最終的に４色のトナー像を重ね合わせることで合成トナー像を形成してフルカラー画像を得るため、位置関係のズレが色ズレとなって現れ、少しの位置ズレでも色ズレは明確に現れるため、調整が煩雑となりやすい。
【００１２】
このような従来のカラー画像形成装置の場合、各感光体ドラムの回転精度、ラスタ走査装置の取付位置誤差、温度変化に伴う各機械要素部品の伸び縮み、中間転写ベルト等の速度変動や蛇行により、移動体上における各単色トナー像の相対的な位置関係が変動してしまい、色ずれ（カラーレジストレーション誤差）が発生し易い状態となっている。
そこで、工場において装置を組み立てた後の出荷前、また、出荷後に顧客の現場の設置使用場所でサービスマンが手動でカラー画像形成装置に内蔵されている色ずれ補正モードの実行によって、初期の色ずれの補正を実行している。
【００１３】
このような従来の広幅な原稿に対応する静電潜像を感光体に形成するために、汎用のＡ３サイズ用ＬＥＤヘッドを複数本用いて、隣り合うＬＥＤヘッドの端部同士をオーバーラップさせて配列し、広幅露光を行うカラー画像形成装置における初期の色ズレの各補正は、工場から出荷されたカラー画像形成装置を納品先の顧客の設置使用場所に設置した後、サービスマンが初期の複数の色ズレ補正について、１つずつ手動で行っている。
このため、従来は、カラー画像形成装置を設置した後の初期の色ズレの各補正に多大の時間を要し、カラー画像形成装置の設置作業におけるサービスマンの設置作業が煩わしいという問題点を有している。
【００１４】
本発明はこのような問題点に鑑みなされたものであり、その目的とするところは、初期の色ずれ補正モードをサービスマンが個別に実行することなく、色ズレ補正開始スイッチを投入することで、初期の色ずれ補正モードを自動的に調整することのできるＬＥＤヘッド調整装置を提供することにある。
【課題を解決するための手段】
【００１５】
上記課題を解決するためなされた請求項１に記載のＬＥＤヘッド調整装置は、異なる色のトナー像を形成するトナー像形成手段を複数備え、露光用ＬＥＤヘッドを複数本主走査方向に千鳥状に隣接する露光用ＬＥＤ間で一部重ね合わせ部を形成して配列し、該複数の露光用ＬＥＤヘッドによって広幅に露光を行い、感光ドラムに静電潜像を形成し、前記各トナー像形成手段によって前記感光ドラムにトナー像を形成し、該トナー像を順次転写して重ね合わせてカラー画像を形成する中間転写ベルトを備える画像形成装置において、
前記複数本の露光用ＬＥＤヘッドの各ＬＥＤヘッドの露光によって前記中間転写ベルト上に形成される調整用のトナー像に光を照射し、反射する光量によってトナー像の有無を検出して該調整用のトナー像の形成位置を検出するカラーセンサーと、
前記複数本の露光用ＬＥＤヘッドの各ＬＥＤヘッドの一方の端部に設定値に基づいて形成されるＬＥＤヘッドスキュー調整用の第１のレジストレーションマークと他方の端部に設定値に基づいて形成されるＬＥＤヘッドスキュー調整用の第２のレジストレーションマークとから、前記カラーセンサーによって前記ＬＥＤヘッドスキュー調整用の第１のレジストレーションマークと前記ＬＥＤヘッドスキュー調整用の第２のレジストレーションマークとの傾斜を演算し、ブラックユニットの複数本の露光用ＬＥＤヘッドの各ＬＥＤヘッドの傾斜と、シアンユニットの複数本の露光用ＬＥＤヘッドの各ＬＥＤヘッドの傾斜と、マゼンタユニットの複数本の露光用ＬＥＤヘッドの各ＬＥＤヘッドの傾斜と、イエローユニットの複数本の露光用ＬＥＤヘッドの各ＬＥＤヘッドの傾斜とが一致するように各ＬＥＤヘッド間の傾きのズレを調整するＬＥＤヘッドスキュー調整手段と、
前記ブラックユニットの複数本の露光用ＬＥＤヘッドの重なり合うＬＥＤヘッドの重なり部となる側の一方のＬＥＤヘッドの端部に形成される主走査方向ＬＥＤヘッドつなぎ目調整用の第１のレジストレーションマークとＬＥＤヘッドの重なり部となる側の他方のＬＥＤヘッドの端部に設定値に基づいて形成される主走査方向ＬＥＤヘッドつなぎ目調整用の第２のレジストレーションマークとの距離を演算し、前記主走査方向ＬＥＤヘッドつなぎ目調整用の第２のレジストレーションマークの実際に中間転写ベルト上に作成される形成位置が設定値に基づいて中間転写ベルト上に形成されるべき位置と一致するように、ブラックユニットの複数本の露光用ＬＥＤヘッドの主走査方向ＬＥＤヘッドつなぎ目のズレと、シアンユニットの複数本の露光用ＬＥＤヘッドの主走査方向ＬＥＤヘッドつなぎ目のズレと、マゼンタユニットの複数本の露光用ＬＥＤヘッドの主走査方向ＬＥＤヘッドつなぎ目のズレと、イエローユニットの複数本の露光用ＬＥＤヘッドの主走査方向ＬＥＤヘッドつなぎ目のズレを調整する主走査方向ＬＥＤヘッドつなぎ目調整手段と、
前記ブラックユニットの複数本の露光用ＬＥＤヘッドの重なり合うＬＥＤヘッドの重なり部となる側の一方のＬＥＤヘッドの端部に所定の傾斜を持たせて形成される副走査方向ＬＥＤヘッドつなぎ目調整用の第１のレジストレーションマークとＬＥＤヘッドの重なり部となる側の他方のＬＥＤヘッドの端部に所定の傾斜を持たせて設定値に基づいて形成される副走査方向ＬＥＤヘッドつなぎ目調整用の第２のレジストレーションマークとの距離を演算し、前記副走査方向ＬＥＤヘッドつなぎ目調整用の第２のレジストレーションマークの実際に中間転写ベルト上に作成される形成位置が設定値に基づいて中間転写ベルト上に形成されるべき位置と一致するように、ブラックユニットの複数本の露光用ＬＥＤヘッドの副走査方向ＬＥＤヘッドつなぎ目のズレと、シアンユニットの複数本の露光用ＬＥＤヘッドの副走査方向ＬＥＤヘッドつなぎ目のズレと、マゼンタユニットの複数本の露光用ＬＥＤヘッドの副走査方向ＬＥＤヘッドつなぎ目のズレと、イエローユニットの複数本の露光用ＬＥＤヘッドの副走査方向ＬＥＤヘッドつなぎ目のズレを調整する副走査方向ＬＥＤヘッドつなぎ目調整手段と、
前記ブラックユニットの複数本の露光用ＬＥＤヘッドの重なり合うＬＥＤヘッドの重なり部となる側の端部に形成される主走査方向カラーレジスト調整用の第１のレジストレーションマークと、前記ブラックユニットのＬＥＤヘッドに対応するシアンユニットの露光用ＬＥＤヘッドの前記ブラックユニットのＬＥＤヘッドの前記端部側に設定値に基づいて形成される主走査方向カラーレジスト調整用の第２のレジストレーションマークとの主走査方向カラーレジストのズレと、前記ブラックユニットのＬＥＤヘッドの重なり部となる側の端部に形成される主走査方向カラーレジスト調整用の第３のレジストレーションマークと、マゼンタユニットの露光用ＬＥＤヘッドの前記ブラックユニットのＬＥＤヘッドの前記端部側に設定値に基づいて形成される主走査方向カラーレジスト調整用の第４のレジストレーションマークとの主走査方向カラーレジストのズレと、前記ブラックユニットのＬＥＤヘッドの重なり部となる側の端部に形成される主走査方向カラーレジスト調整用の第５のレジストレーションマークと、イエローユニットの露光用ＬＥＤヘッドの前記ブラックユニットのＬＥＤヘッドの前記端部側に設定値に基づいて形成される主走査方向カラーレジスト調整用の第６のレジストレーションマークとの主走査方向カラーレジストのズレとを調整する主走査方向カラーレジスト調整手段と、
前記ブラックユニットの複数本の露光用ＬＥＤヘッドの重なり合うＬＥＤヘッドの重なり部となる側の端部に所定の傾斜を持たせて形成される副走査方向カラーレジスト調整用の第１のレジストレーションマークと、前記ブラックユニットのＬＥＤヘッドに対応するシアンユニットの露光用ＬＥＤヘッドの前記ブラックユニットのＬＥＤヘッドの前記端部側に設定値に基づいて所定の傾斜を持たせて形成される副走査方向カラーレジスト調整用の第２のレジストレーションマークとの副走査方向カラーレジストのズレと、前記ブラックユニットのＬＥＤヘッドの重なり部となる側の端部に所定の傾斜を持たせて形成される副走査方向カラーレジスト調整用の第３のレジストレーションマークと、マゼンタユニットの露光用ＬＥＤヘッドの前記ブラックユニットのＬＥＤヘッドの前記端部側に設定値に基づいて所定の傾斜を持たせて形成される副走査方向カラーレジスト調整用の第４のレジストレーションマークとの副走査方向カラーレジストのズレと、前記ブラックユニットのＬＥＤヘッドの重なり部となる側の端部に所定の傾斜を持たせて形成される副走査方向カラーレジスト調整用の第５のレジストレーションマークと、イエローユニットの露光用ＬＥＤヘッドの前記ブラックユニットのＬＥＤヘッドの前記端部側に設定値に基づいて所定の傾斜を持たせて形成される副走査方向カラーレジスト調整用の第６のレジストレーションマークとの副走査方向カラーレジストのズレとを調整する副走査方向カラーレジスト調整手段と、
を設けるとともに、前記ＬＥＤヘッドスキュー調整手段と、前記主走査方向ＬＥＤヘッドつなぎ目調整手段と、前記副走査方向ＬＥＤヘッドつなぎ目調整手段と、前記主走査方向カラーレジスト調整手段と、前記副走査方向カラーレジスト調整手段を順次実行する作動スイッチを設け、
前記作動スイッチを作動することにより、自動的に前記ＬＥＤヘッドスキュー調整手段と、前記主走査方向ＬＥＤヘッドつなぎ目調整手段と、前記副走査方向ＬＥＤヘッドつなぎ目調整手段と、前記主走査方向カラーレジスト調整手段と、前記副走査方向カラーレジスト調整手段とを順次実行する調整実行手段を設けてなることを特徴とする。
【００１６】
上記課題を解決するためなされた請求項２に記載のＬＥＤヘッド調整装置は、請求項１に記載のＬＥＤヘッド調整装置において、前記カラーセンサーを、前記複数本の露光用ＬＥＤヘッドの各ＬＥＤヘッドの露光によって前記中間転写ベルト上に形成される調整用のトナー像に光を照射し、反射する光量によってトナー像の有無を検出するものであることを特徴とする。
【００１７】
上記課題を解決するためなされた請求項３に記載のＬＥＤヘッド調整装置は、請求項１又は２に記載のＬＥＤヘッド調整装置において、前記副走査方向ＬＥＤヘッドつなぎ目調整用の第１のレジストレーションマークと、副走査方向ＬＥＤヘッドつなぎ目調整用の第２のレジストレーションマークは、
前記ブラックユニットの複数本の露光用ＬＥＤヘッドの内の第１のＬＥＤヘッドを露光して、該第１のＬＥＤヘッドの第２のＬＥＤヘッドとの重なり部となる側の端部に所定ドットのラインのトナー像を前記中間転写ベルト上に１ドットずつずらして形成するものであることを特徴とする。
【００１８】
上記課題を解決するためなされた請求項４に記載のＬＥＤヘッド調整装置は、請求項１，２又は３に記載のＬＥＤヘッド調整装置において、前記副走査方向カラーレジスト調整手段における副走査方向カラーレジスト調整用の第１のレジストレーションマークと、副走査方向カラーレジスト調整用の第２のレジストレーションマークと、副走査方向カラーレジスト調整用の第３のレジストレーションマークと、副走査方向カラーレジスト調整用の第４のレジストレーションマークと、副走査方向カラーレジスト調整用の第５のレジストレーションマークと、副走査方向カラーレジスト調整用の第６のレジストレーションマークは、
所定ドットのラインのレジストレーションマークを前記中間転写ベルト上に１ドットずつずらして傾斜を持たせて形成したものであることを特徴とする。
【発明の効果】
【００２２】
本発明によれば、初期の色ずれ補正モードをサービスマンが個別に実行することなく、色ズレ補正開始スイッチを投入することで、初期の色ずれ補正モードを自動的に調整することができる。
【図面の簡単な説明】
【００２３】
【図１】本発明に係るＬＥＤヘッド調整装置の適用されるカラー画像形成装置の概略図である。
【図２】図１に図示のＬＥＤヘッド調整装置の制御回路を示すブロック図である。
【図３】ＬＥＤヘッドのスキュー調整パターンを示す図である。
【図４】ＬＥＤヘッドのつなぎ目調整パターンを示す図である。
【図５】ＬＥＤヘッドのカラーレジスト調整パターンを示す図である。
【図６】図１に図示のＬＥＤヘッド調整装置の制御回路の制御フローチャートである。
【図７】図１に図示のＬＥＤヘッド調整装置の制御回路の制御フローチャートである。
【図８】図１に図示のＬＥＤヘッド調整装置の制御回路の制御フローチャートである。
【発明を実施するための形態】
【実施例１】
【００２４】
以下、本発明を実施するための形態の実施例１について図１〜図５を用いて説明する。
図１は本発明のＬＥＤヘッド調整装置の適用されるカラー画像形成装置の概略図、図２は図１に図示のＬＥＤヘッド調整装置の制御回路を示すブロック図、図３はＬＥＤヘッドのスキュー調整パターンを示す図、図４はＬＥＤヘッドのつなぎ目調整パターンを示す図、図５はＬＥＤヘッドのカラーレジスト調整パターンを示す図である。
【００２５】
図１には、本発明に係るＬＥＤヘッド調整装置の適用されるカラー画像形成装置の一例を示す概略図が示されている。
図において、複写機、プリンター等のカラー画像形成装置１は、大別してカラー画像形成部２と、ＬＥＤヘッド調整部３と、ロール紙給紙部４と、転写材１２の搬送手段５と、定着装置６とによって構成されている。
【００２６】
カラー画像形成部２は、複数の画像形成ユニットを有し、７はブラックユニットＫ、８はシアンユニットＣ、９はマゼンタユニットＭ、１０はイエローユニットＹを示している。これら各画像形成ユニット７，８，９，１０を縦貫して中間転写ベルト１１が配設されている。
ブラックユニット（Ｋ）７は、静電潜像担持体としての円筒型の感光体（感光ドラム）７１が、矢印方向ａへ回転可能に支持されている。
【００２７】
７２はＬＥＤ露光装置（ＬＥＤヘッド）で、７３は、感光ドラム７１の表面を一様に帯電させる一次帯電器である。このＬＥＤ露光装置（ＬＥＤヘッド）７２は、一次帯電器７３に対し、感光ドラム７１の回転方向ａの下流側において感光ドラム７１を露光するものである。
このＬＥＤ露光装置（ＬＥＤヘッド）７２は、図３に示す如く、３本のＬＥＤヘッド７２ａ，７２ｂ，７２ｃからなり、ＬＥＤヘッド７２ｂはＬＥＤＨＥＡＤ２を、ＬＥＤヘッド７２ａ，７２ｃはＬＥＤＨＥＡＤ１，３をそれぞれ示している。
そしてＬＥＤ露光装置（ＬＥＤヘッド）７２は、３本のＬＥＤＨＥＡＤからなり、ＬＥＤヘッド７２ｂ（ＬＥＤＨＥＡＤ２）の取付位置は、ＬＥＤヘッド７２ａ（ＬＥＤＨＥＡＤ１）とＬＥＤヘッド７２ｃ（ＬＥＤＨＥＡＤ３）の取付位置に対して、感光ドラム７１の中心から所定の角度をもって取り付けられている。
また、一次帯電器７３は、パーソナルコンピュータ（ＰＣ）等の外部に接続された端末装置から入力された画像データをＬＥＤ露光装置（ＬＥＤヘッド）７２によって投射して感光ドラム７１上に潜像を形成させるものである。
【００２８】
７４は、ブラック色のトナーを収納した現像ローラで、感光ドラム７１のＬＥＤ露光装置７２よりさらに下流側に、感光ドラム７１と隣接するようにして配置されている。この現像ローラ７４は、ＬＥＤ露光装置（ＬＥＤヘッド）７２で、露光されて感光ドラム７１に形成された静電潜像にカラー画像を形成するためのトナー像を形成するものである。
【００２９】
７５は、除電器である。この除電器７５は、具体的には、イレーサーランプで、感光ドラム７１の表面に帯電している電位を均一に除電するためのものである。この除電器７５としての光源には、赤色ＬＥＤが使用され、除電器７５は、感光ドラム７１の表面に照射し、一次帯電器７３によって一次帯電を行う前に感光ドラム７１の表面上の残留電荷を消去する（０Ｖ）ためのものである（実際には、完全に消去されないことがあり、実際の感光ドラム７１の表面電位は、０〜−１５０Ｖとなる）。
【００３０】
シアンユニット（Ｃ）８は、静電潜像担持体としての円筒型の感光体（感光ドラム）８１が、矢印方向ａへ回転可能に支持されている。
８２はＬＥＤ露光装置（ＬＥＤヘッド）で、８３は、感光ドラム８１の表面を一様に帯電させる一次帯電器である。このＬＥＤ露光装置（ＬＥＤヘッド）８２は、一次帯電器８３に対し、感光ドラム８１の回転方向ａの下流側において感光ドラム８１を露光するものである。
【００３１】
このＬＥＤ露光装置（ＬＥＤヘッド）８２は、ＬＥＤ露光装置（ＬＥＤヘッド）７２と同様に、３本のＬＥＤヘッド８２ａ，８２ｂ，８２ｃ（図示していない）からなり、ＬＥＤヘッド８２ｂはＬＥＤＨＥＡＤ２を、ＬＥＤヘッド８２ａ，８２ｃはＬＥＤＨＥＡＤ１，３をそれぞれ示している。
そしてＬＥＤ露光装置（ＬＥＤヘッド）８２は、３本のＬＥＤＨＥＡＤからなり、ＬＥＤヘッド８２ｂ（ＬＥＤＨＥＡＤ２）の取付位置は、ＬＥＤ露光装置（ＬＥＤヘッド）７２と同様に、ＬＥＤヘッド８２ａ（ＬＥＤＨＥＡＤ１）とＬＥＤヘッド８２ｃ（ＬＥＤＨＥＡＤ３）の取付位置に対して、感光ドラム８１の中心から所定の角度をもって取り付けられている。
また、一次帯電器８３は、パーソナルコンピュータ（ＰＣ）等の外部に接続された端末装置から入力された画像データをＬＥＤ露光装置（ＬＥＤヘッド）８２によって投射して感光ドラム８１上に潜像を形成させるものである。
【００３２】
８４は、シアン色（青色）のトナーを収納した現像ローラで、感光ドラム８１のＬＥＤ露光装置８２よりさらに下流側に、感光ドラム８１と隣接するようにして配置されている。この現像ローラ８４は、ＬＥＤ露光装置（ＬＥＤヘッド）８２で、露光されて感光ドラム８１に形成された静電潜像にカラー画像を形成するためのトナー像を形成するものである。
【００３３】
８５は、除電器である。この除電器８５は、具体的には、イレーサーランプで、感光ドラム８１の表面に帯電している電位を均一に除電するためのものである。この除電器８５としての光源には、赤色ＬＥＤが使用され、除電器８５は、感光ドラム８１の表面に照射し、一次帯電器８３によって一次帯電を行う前に感光ドラム８１の表面上の残留電荷を消去する（０Ｖ）ためのものである（実際には、完全に消去されないことがあり、実際の感光ドラム８１の表面電位は、０〜−１５０Ｖとなる）。
【００３４】
マゼンタユニット（Ｍ）９は、静電潜像担持体としての円筒型の感光体（感光ドラム）９１が、矢印方向ａへ回転可能に支持されている。
９２はＬＥＤ露光装置（ＬＥＤヘッド）で、９３は、感光ドラム９１の表面を一様に帯電させる一次帯電器である。このＬＥＤ露光装置（ＬＥＤヘッド）９２は、一次帯電器９３に対し、感光ドラム９１の回転方向ａの下流側において感光ドラム９１を露光するものである。
【００３５】
このＬＥＤ露光装置（ＬＥＤヘッド）９２は、ＬＥＤ露光装置（ＬＥＤヘッド）７２と同様に、３本のＬＥＤヘッド９２ａ，９２ｂ，９２ｃ（図示していない）からなり、ＬＥＤヘッド９２ｂはＬＥＤＨＥＡＤ２を、ＬＥＤヘッド９２ａ，９２ｃはＬＥＤＨＥＡＤ１，３をそれぞれ示している。
そしてＬＥＤ露光装置（ＬＥＤヘッド）９２は、３本のＬＥＤＨＥＡＤからなり、ＬＥＤヘッド９２ｂ（ＬＥＤＨＥＡＤ２）の取付位置は、ＬＥＤ露光装置（ＬＥＤヘッド）７２と同様に、ＬＥＤヘッド９２ａ（ＬＥＤＨＥＡＤ１）とＬＥＤヘッド９２ｃ（ＬＥＤＨＥＡＤ３）の取付位置に対して、感光ドラム９１の中心から所定の角度をもって取り付けられている。
また、一次帯電器９３は、パーソナルコンピュータ（ＰＣ）等の外部に接続された端末装置から入力された画像データをＬＥＤ露光装置（ＬＥＤヘッド）９２によって投射して感光ドラム９１上に潜像を形成させるものである。
【００３６】
９４は、マゼンタ色（赤紫色）のトナーを収納した現像ローラで、感光ドラム９１のＬＥＤ露光装置９２よりさらに下流側に、感光ドラム９１と隣接するようにして配置されている。この現像ローラ９４は、ＬＥＤ露光装置（ＬＥＤヘッド）９２で、露光されて感光ドラム９１に形成された静電潜像にカラー画像を形成するためのトナー像を形成するものである。
【００３７】
９５は、除電器である。この除電器９５は、具体的には、イレーサーランプで、感光ドラム９１の表面に帯電している電位を均一に除電するためのものである。この除電器９５としての光源には、赤色ＬＥＤが使用され、除電器９５は、感光ドラム９１の表面に照射し、一次帯電器９３によって一次帯電を行う前に感光ドラム９１の表面上の残留電荷を消去する（０Ｖ）ためのものである（実際には、完全に消去されないことがあり、実際の感光ドラム９１の表面電位は、０〜−１５０Ｖとなる）。
【００３８】
イエローユニット（Ｙ）１０は、静電潜像担持体としての円筒型の感光体（感光ドラム）１０１が、矢印方向ａへ回転可能に支持されている。
１０２はＬＥＤ露光装置（ＬＥＤヘッド）で、１０３は、感光ドラム１０１の表面を一様に帯電させる一次帯電器である。このＬＥＤ露光装置（ＬＥＤヘッド）１０２は、一次帯電器１０３に対し、感光ドラム１０１の回転方向ａの下流側において感光ドラム１０１を露光するものである。
【００３９】
このＬＥＤ露光装置（ＬＥＤヘッド）１０２は、ＬＥＤ露光装置（ＬＥＤヘッド）１０２と同様に、３本のＬＥＤヘッド１０２ａ，１０２ｂ，１０２ｃ（図示していない）からなり、ＬＥＤヘッド１０２ｂはＬＥＤＨＥＡＤ２を、ＬＥＤヘッド１０２ａ，１０２ｃはＬＥＤＨＥＡＤ１，３をそれぞれ示している。
そしてＬＥＤ露光装置（ＬＥＤヘッド）１０２は、３本のＬＥＤＨＥＡＤからなり、ＬＥＤヘッド１０２ｂ（ＬＥＤＨＥＡＤ２）の取付位置は、ＬＥＤ露光装置（ＬＥＤヘッド）７２と同様に、ＬＥＤヘッド１０２ａ（ＬＥＤＨＥＡＤ１）とＬＥＤヘッド１０２ｃ（ＬＥＤＨＥＡＤ３）の取付位置に対して、感光ドラム１０１の中心から所定の角度をもって取り付けられている。
また、一次帯電器１０３は、パーソナルコンピュータ（ＰＣ）等の外部に接続された端末装置から入力された画像データをＬＥＤ露光装置（ＬＥＤヘッド）１０２によって投射して感光ドラム１０１上に潜像を形成させるものである。
【００４０】
１０４は、イエロー色（黄色）のトナーを収納した現像ローラで、感光ドラム１０１のＬＥＤ露光装置１０２よりさらに下流側に、感光ドラム１０１と隣接するようにして配置されている。この現像ローラ１０４は、ＬＥＤ露光装置（ＬＥＤヘッド）１０２で、露光されて感光ドラム１０１に形成された静電潜像にカラー画像を形成するためのトナー像を形成するものである。
【００４１】
１０５は、除電器である。この除電器９５は、具体的には、イレーサーランプで、感光ドラム１０１の表面に帯電している電位を均一に除電するためのものである。この除電器１０５としての光源には、赤色ＬＥＤが使用され、除電器１０５は、感光ドラム１０１の表面に照射し、一次帯電器１０３によって一次帯電を行う前に感光ドラム１０１の表面上の残留電荷を消去する（０Ｖ）ためのものである（実際には、完全に消去されないことがあり、実際の感光ドラム１０１の表面電位は、０〜−１５０Ｖとなる）。
【００４２】
ＬＥＤヘッド調整部３は、ＬＥＤ露光装置（ＬＥＤヘッド）７２，８２，９２，１０２によって露光され、感光ドラム７１，８１，９１，１０１に形成された静電潜像を現像装置７４，８４，９４，１０４で現像して得たトナー像の位置ズレを調整するものである。このＬＥＤ露光装置（ＬＥＤヘッド）７２，８２，９２，１０２のズレ調整は、図２に図示のＬＥＤヘッド調整部３を駆動する制御回路によって行われる。
この図１に示されるＬＥＤヘッド調整部３は、中間転写ベルト１１に転写されたカラー画像の位置を検出するもので、具体的には、カラーセンサによって構成されている。
【００４３】
このＬＥＤヘッド調整部３は、カラー画像形成部２によって中間転写ベルト１１上に画像形成したカラー画像を検出することによりＬＥＤＨＥＡＤ１，２，３の色のズレ調整（スキュー調整）、ＬＥＤＨＥＡＤ１，２，３の色のズレ調整（つなぎ目調整）、ブラックユニット（Ｋ）７とシアンユニット（Ｃ）８とマゼンタユニット（Ｍ）９とイエローユニット（Ｙ）１０との間の色ズレ調整（カラーレジスト調整）を行う場合に用いる。
このＬＥＤヘッド調整部３を用いた色ズレ補正については、後で詳細に説明する。
【００４４】
ロール紙給紙部４は、転写材１２をロール状に巻き付けて収納し、この転写材１２を供給するものである。このロール紙給紙部４の転写材１２の供給側には、転写材１２を搬送する搬送手段５が設けられている。この搬送手段５は、具体的には、２つの圧接ローラによって構成される転写材搬送ローラ５ａ，５ｂとによって構成されている。
【００４５】
中間転写ベルト１１は、ＬＥＤ露光装置（ＬＥＤヘッド）７２，８２，９２，１０２で、露光されて感光ドラム７１，８１，９１，１０１に形成された静電潜像を現像装置７４，８４，９４，１０４で現像した各色のトナー像を一時的に担持して、各色が全て重ね合わされたカラー画像を形成するためのものであり、駆動ローラ１３と、テンションローラ１４と、従動ローラ１５の３本のローラに張架され、駆動ローラ１３によって駆動するように構成されている。
この中間転写ベルト１１は、無端状ベルトによって構成されている。
【００４６】
中間転写ベルト１１の内側には、感光ドラム７１，８１，９１，１０１と対向する位置に、中間転写ベルト１１を挟むようにして一次転写ロール７５，８５，９５，１０５が配設されている。
この一次転写ロール７６，８６，９６，１０６は、感光ドラム７１，８１，９１，１０１に現像装置７４，８４，９４，１０４で現像され形成されたトナー像を中間転写ベルト１１に一次転写するものである。
【００４７】
一次転写ロール７６，８６，９６，１０６は、感光ドラム７１，８１，９１，１０１上に形成されたトナー画像を、感光ドラム７１，８１，９１，１０１と中間転写ベルト１１を挟んで、一次転写ロール７６，８６，９６，１０６と所定の圧力で接触対向し、所定のタイミングで搬送される中間転写ベルト１１上に、ニップ圧力と転写バイアスによって一括して転写するためのものである。
すなわち、中間転写ベルト１１への一次転写は、一次転写ロール７６，８６，９６，１０６に所定の転写バイアス電圧を印加し、感光ドラム７１，８１，９１，１０１と一次転写ロール７６，８６，９６，１０６との間に、電界を形成し、この電界の形成によって、感光体ドラム７１，８１，９１，１０１上で電荷を帯びているトナー像をクーロン力で中間転写ベルト１１に転写することで行われる。
【００４８】
従動ローラ１５の中間転写ベルト１１を介して対向する位置には、二次転写装置１６が設けられている。この二次転写装置１６は、二次転写コロナ放電器１６ａと、ＡＣ分離コロナ放電器１６ｂとによって構成されている。
二次転写コロナ放電器１６ａは、中間転写ベルト１１に形成されているトナー像を、コロナ放電によって剥離し、ロール状に巻き付けて収納してあるロール紙給紙部４から供給される転写材１２に転写するものである。
また、ＡＣ分離コロナ放電器１６ｂは、コロナ放電によって中間転写ベルト１１から転写材１２を分離するものである。
【００４９】
搬送手段５は、ロール紙給紙部４から転写材１２を従動ローラ１５に向かって搬送するものである。この搬送手段５によって搬送された転写材１２は、従動ローラ１５によって駆動する中間転写ベルト１１に形成されるトナー像が、二次転写装置１６によって転写され、定着装置６に搬送される。
定着装置６は、二次転写装置１６によって転写されたトナー像が容易に剥離しないように定着するものである。
【００５０】
図２には、ＬＥＤヘッド調整部３を駆動する制御回路が示されている。
図２において、制御回路２０は、ＣＰＵ（Central Processing Unit）２１を有しており、このＣＰＵ２１によってあらゆる演算が行われる。
このＣＰＵ２１には、バスラインを介してＲＯＭ（Read Only Memory）２２と、ＲＡＭ（Random Access Memory）２３とが接続されている。また、ＣＰＵ２１には、バスラインを介してＩ／Ｏポート（Input/Output Port）２４が接続されており、このＩ／Ｏポート２４には、ＬＥＤ露光装置（ＬＥＤヘッド）２５と、カラーセンサ２６が接続されている。
【００５１】
ＣＰＵ２１は、パーソナルコンピュータ（ＰＣ）等の外部に接続された端末装置からの画像データを入力し、画像処理部に出力されて画像形成を行う制御を行なっている。
ＲＯＭ２２には、書換が可能で、ＣＰＵ２１を駆動するプログラム、すなわち、ＬＥＤヘッド調整部３を駆動する制御回路の駆動プログラムが収納されている。
【００５２】
また、ＲＯＭ２２には、ＬＥＤヘッド調整部３をＲＯＭ２２の駆動プログラムにしたがって駆動（露光）させ、感光ドラム７１，８１，９１，１０１に静電潜像を形成するためのＬＥＤ露光装置（ＬＥＤヘッド）２５の露光タイミングデータが収納されている。
このＬＥＤ露光装置（ＬＥＤヘッド）２５の露光タイミングデータは、ＬＥＤヘッド調整部３によって調整されると、ＲＯＭ２２の露光タイミングデータがこのＬＥＤヘッド調整部３によって調整された露光タイミングデータに書き換えられ、カラー画像形成装置１が駆動するときの露光タイミングのデータとなるようになっている。
【００５３】
ＲＡＭ２３には、ＬＥＤヘッド調整部３をＲＯＭ２２の駆動プログラムにしたがって駆動（露光）させ、感光ドラム７１，８１，９１，１０１に静電潜像を形成するためのＬＥＤ露光装置（ＬＥＤヘッド）２５の露光タイミングデータが収納されている。
また、このＲＡＭ２３には、ＬＥＤ露光装置（ＬＥＤヘッド）２５の駆動によって感光ドラム７１，８１，９１，１０１に形成された静電潜像に基づいて現像装置７４，８４，９４，１０４で現像されて得た各色のトナー像によって中間転写ベルト１１にプリントされたカラートナー像の位置をカラーセンサによって検出し、このカラーセンサによって検出したカラートナー像の位置を記憶するようになっている。
【００５４】
Ｉ／Ｏポート２４は、入出力インターフェイスで、外部機器とＣＰＵ２１とのデータの授受を行っている。このＩ／Ｏポート２４を介してＬＥＤ露光装置（ＬＥＤヘッド）２５と、カラーセンサ２６が接続されている。
ＬＥＤ露光装置（ＬＥＤヘッド）２５は、図１におけるＬＥＤ露光装置（ＬＥＤヘッド）７２，８２，９２，１０２に相当し、パーソナルコンピュータ（ＰＣ）等の外部に接続された端末装置から入力された画像データにしたがって、感光ドラム７１，８１，９１，１０１上に静電潜像を形成させるためにＬＥＤを露光するものである。
【００５５】
カラーセンサ２６は、図１におけるＬＥＤヘッド調整部３に相当するもので、感光ドラム７１，８１，９１，１０１に形成された静電潜像を現像装置７４，８４，９４，１０４で現像して得たトナー像の位置ズレを調整するために用いるトナー像の位置を検出するものである。
このカラーセンサー２６は、複数本の露光用ＬＥＤヘッドの各ＬＥＤヘッドの露光によって前記中間転写ベルト上に形成される調整用のトナー像に光を照射し、反射する光量によってトナー像の有無を検出する構成を有している。
このカラーセンサ２６は、ＬＥＤヘッドのズレ位置を調整するときに使用するもので、ＬＥＤヘッド調整をしないときは、使用することはない。このカラーセンサ２６を用いて、カラー画像形成部２によって中間転写ベルト１１上に画像形成したカラー画像を検出して、ＬＥＤＨＥＡＤ１，２，３の色のズレ調整（ＬＥＤヘッドスキュー調整）、ＬＥＤＨＥＡＤ１，２，３の色のズレ調整（ＬＥＤヘッドつなぎ目調整）、ブラックユニット（Ｋ）７とシアンユニット（Ｃ）８とマゼンタユニット（Ｍ）９とイエローユニット（Ｙ）１０との間の色ズレ調整（カラーレジスト調整）を行う。
【００５６】
２７は、タイマで、ＣＰＵ２１に接続されている。このタイマ２７は、ロール紙給紙部４から送られる転写材１２の先端が所定位置を通過したことを検出すると、この検出信号がＩ／Ｏポート２４を介してＣＰＵ２１に入力され、このＣＰＵ２１によってＯＮする。
このタイマ２７は、作動している間、搬送手段５である転写材搬送ローラ５ａ，５ｂを駆動させる作用を有しており、従動ローラ１５に送り出す転写材９の量を決定している。
また、このタイマ２７は、ＬＥＤヘッド調整部３を作動させてカラーセンサ２６によって、ＬＥＤヘッド調整のためにカラー画像形成部２によって中間転写ベルト１１上に画像形成したカラー画像を検出して、ＬＥＤＨＥＡＤ１，２，３の傾きズレ調整（ＬＥＤヘッドスキュー調整）、ＬＥＤＨＥＡＤ１，２，３の色のヘッド間ズレ調整（ＬＥＤヘッドつなぎ目調整）、ブラックユニット（Ｋ）７とシアンユニット（Ｃ）８とマゼンタユニット（Ｍ）９とイエローユニット（Ｙ）１０との間の色ヘッド間ズレ調整（カラーレジスト調整）を行うときの各カラー画像間の距離の検出をするのに用いられる。
【００５７】
２８は、スイッチで、このスイッチ２８は、工場から出荷されたカラー画像形成装置を納品先の顧客の設置使用場所に設置した後、サービスマンが行う初期の複数のヘッドのズレ補正を、ＬＥＤヘッド調整部３を駆動する制御回路（ＣＰＵ２１）によって自動で行うためのものである。
このスイッチ２８を投入すると、ＬＥＤヘッド調整部３を駆動する制御回路（ＣＰＵ２１）が駆動し、ＬＥＤＨＥＡＤ１，２，３の傾きズレ調整（ＬＥＤヘッドスキュー調整）、ＬＥＤＨＥＡＤ１，２，３の色のヘッド間ズレ調整（ＬＥＤヘッドつなぎ目調整）、ブラックユニット（Ｋ）７とシアンユニット（Ｃ）８とマゼンタユニット（Ｍ）９とイエローユニット（Ｙ）１０との間の色ヘッド間ズレ調整（カラーレジスト調整）の各調整を順に自動的に行う。
【００５８】
したがって、スイッチ２８を投入することによって、サービスマンは、カラー画像形成装置１のブラックユニット（Ｋ）７の３本のＬＥＤヘッド７２ａ，７２ｂ，７２ｃのヘッド間の調整、シアンユニット（Ｃ）８の３本のＬＥＤヘッド８２ａ，８２ｂ，８２ｃのヘッド間の調整、マゼンタユニット（Ｍ）９の３本のＬＥＤヘッド９２ａ，９２ｂ，９２ｃのヘッド間の調整、イエローユニット（Ｙ）１０の３本のＬＥＤヘッド１０２ａ，１０２ｂ，１０２ｃのヘッド間の調整であるＬＥＤヘッドスキュー調整とＬＥＤヘッドつなぎ目調整、さらに、ブラックユニット（Ｋ）７のＬＥＤヘッドとシアンユニット（Ｃ）８のＬＥＤヘッド間、ブラックユニット（Ｋ）７のＬＥＤヘッドとマゼンタユニット（Ｍ）９のＬＥＤヘッド間、ブラックユニット（Ｋ）７のＬＥＤヘッドとイエローユニット（Ｙ）１０間の調整であるカラーレジスト調整の各調整を、従来のように手動で行う必要がない。
【００５９】
以下、図３〜図５を用いて、ＬＥＤＨＥＡＤ１，２，３の傾きズレ調整（ＬＥＤヘッドスキュー調整）、ＬＥＤＨＥＡＤ１，２，３の色のヘッド間ズレ調整（つなぎ目調整）、ブラックユニット（Ｋ）７とシアンユニット（Ｃ）８とマゼンタユニット（Ｍ）９とイエローユニット（Ｙ）１０との間の色ヘッド間ズレ調整（カラーレジスト調整）の各調整について説明する。
【００６０】
《ＬＥＤヘッドスキュー調整》
ＬＥＤヘッドスキュー調整は、ブラックユニット（Ｋ）７のＬＥＤＨＥＡＤ１，２，３に対するシアンユニット（Ｃ）８のＬＥＤＨＥＡＤ１，２，３、マゼンタユニット（Ｍ）９のＬＥＤＨＥＡＤ１，２，３、イエローユニット（Ｙ）１０のＬＥＤＨＥＡＤ１，２，３の傾きを調整するものである。
このＬＥＤＨＥＡＤ１，２，３のズレがカラー印刷の場合は、色ズレとなって現れるため、調整する必要がある。
【００６１】
図３は、ＬＥＤヘッドスキュー調整を示す図である。
図３には、ＬＥＤＨＥＡＤ１，ＬＥＤＨＥＡＤ２，ＬＥＤＨＥＡＤ３が示されているが、これらＬＥＤＨＥＡＤ１，２，３は、ブラックのレジストレーションマークを作成する場合は、ＬＥＤヘッド７２ａ，７２ｂ，７２ｃに相当するものである。
【００６２】
また、このＬＥＤＨＥＡＤ１，２，３は、シアンのレジストレーションマークを作成する場合は、ＬＥＤヘッド８２ａ，８２ｂ，８２ｃに相当するものである。
さらに、このＬＥＤＨＥＡＤ１，２，３は、マゼンタのレジストレーションマークを作成する場合は、ＬＥＤヘッド９２ａ，９２ｂ，９２ｃに相当するものである。
そして、このＬＥＤＨＥＡＤ１，２，３は、イエローのレジストレーションマークを作成する場合は、ＬＥＤヘッド１０２ａ，１０２ｂ，１０２ｃに相当するものである。
【００６３】
ＬＥＤヘッドスキュー調整を行うに当たっては、ブラックユニット（Ｋ）７のＬＥＤＨＥＡＤ２であるＬＥＤヘッド７２ｂ、シアンユニット（Ｃ）８のＬＥＤＨＥＡＤ２であるＬＥＤヘッド８２ｂ、マゼンタユニット（Ｍ）９のＬＥＤＨＥＡＤ２であるＬＥＤヘッド９２ｂ、イエローユニット（Ｙ）１０のＬＥＤＨＥＡＤ２であるＬＥＤヘッド１０２ｂを用いて、ＬＥＤＨＥＡＤ２の一方の端部に設定値に基づいてレジストレーションマークを形成し、ＬＥＤＨＥＡＤ２の他方の端部に異なる設定値に基づいてレジストレーションマークを作成して行う。
ブラックユニット（Ｋ）７のＬＥＤＨＥＡＤ１，２，３に対するシアンユニット（Ｃ）８のＬＥＤＨＥＡＤ１，２，３の傾きの調整も、マゼンタユニット（Ｍ）９のＬＥＤＨＥＡＤ１，２，３の傾きの調整も、イエローユニット（Ｙ）１０のＬＥＤＨＥＡＤ１，２，３の傾きの調整も同じ方法で行われるので、ここでは、ブラックユニット（Ｋ）７のＬＥＤＨＥＡＤ１，２，３に対するシアンユニット（Ｃ）８のＬＥＤＨＥＡＤ１，２，３の傾きの調整について説明し、他のマゼンタユニット（Ｍ）９のＬＥＤＨＥＡＤ１，２，３の傾きの調整、イエローユニット（Ｙ）１０のＬＥＤＨＥＡＤ１，２，３の傾きの調整については、説明を省略する。
【００６４】
まず、ブラックユニット（Ｋ）７のＬＥＤＨＥＡＤ２であるＬＥＤヘッド７２ｂを露光して、ＬＥＤヘッド７２ｂの一方の端部に所定ドット（例えば、１２８ドット）のラインのブラックトナー像Ｂ１を中間転写ベルト１１上に形成する。
さらに、シアンユニット（Ｃ）８のＬＥＤＨＥＡＤ２であるＬＥＤヘッド８２ｂを露光して、ＬＥＤヘッド８２ｂの一方の端部に所定ドット（例えば、１２８ドット）のラインのシアントナー像Ｃ１を設定値（例えば、１２８ライン）に基づいて中間転写ベルト１１上に形成する。
【００６５】
次に、ブラックユニット（Ｋ）７のＬＥＤＨＥＡＤ２であるＬＥＤヘッド７２ｂを露光して、ＬＥＤヘッド７２ｂの他方の端部に所定ドット（例えば、１２８ドット）のラインのブラックトナー像Ｂ２を設定値（例えば、２５６ライン）に基づいて中間転写ベルト１１上に形成する。
また、シアンユニット（Ｃ）８のＬＥＤＨＥＡＤ２であるＬＥＤヘッド８２ｂを露光して、ＬＥＤヘッド８２ｂの他方の端部に所定ドット（例えば、１２８ドット）のラインのシアントナー像Ｃ２を設定値（例えば、３８４ライン）に基づいて中間転写ベルト１１上に形成する。
【００６６】
次に、ブラックユニット（Ｋ）７のＬＥＤＨＥＡＤ１であるＬＥＤヘッド７２ａを露光して、ＬＥＤヘッド７２ａの一方の端部に所定ドット（例えば、１２８ドット）のラインのブラックトナー像Ｂ３を設定値（例えば、５１２ライン）に基づいて中間転写ベルト１１上に形成する。
さらに、シアンユニット（Ｃ）８のＬＥＤＨＥＡＤ１であるＬＥＤヘッド８２ａを露光して、ＬＥＤヘッド８２ａの一方の端部に所定ドット（例えば、１２８ドット）のラインのシアントナー像Ｃ３を設定値（例えば、６４０ライン）に基づいて中間転写ベルト１１上に形成する。
【００６７】
次に、ブラックユニット（Ｋ）７のＬＥＤＨＥＡＤ１であるＬＥＤヘッド７２ａを露光して、ＬＥＤヘッド７２ａの他方の端部に所定ドット（例えば、１２８ドット）のラインのブラックトナー像Ｂ４を設定値（例えば、７６８ライン）に基づいて中間転写ベルト１１上に形成する。
また、シアンユニット（Ｃ）８のＬＥＤＨＥＡＤ１であるＬＥＤヘッド８２ａを露光して、ＬＥＤヘッド８２ａの他方の端部に所定ドット（例えば、１２８ドット）のラインのシアントナー像Ｃ４を設定値（例えば、８８６ライン）に基づいて中間転写ベルト１１上に形成する。
【００６８】
次に、ブラックユニット（Ｋ）７のＬＥＤＨＥＡＤ３であるＬＥＤヘッド７２ｃを露光して、ＬＥＤヘッド７２ｃの一方の端部に所定ドット（例えば、１２８ドット）のラインのブラックトナー像Ｂ５を設定値（例えば、１０２４ライン）に基づいて中間転写ベルト１１上に形成する。
さらに、シアンユニット（Ｃ）８のＬＥＤＨＥＡＤ３であるＬＥＤヘッド８２ｃを露光して、ＬＥＤヘッド８２ｃの一方の端部に所定ドット（例えば、１２８ドット）のラインのシアントナー像Ｃ５を設定値（例えば、１１５２ライン）に基づいて中間転写ベルト１１上に形成する。
【００６９】
次に、ブラックユニット（Ｋ）７のＬＥＤＨＥＡＤ３であるＬＥＤヘッド７２ｃを露光して、ＬＥＤヘッド７２ｃの他方の端部に所定ドット（例えば、１２８ドット）のラインのブラックトナー像Ｂ６を設定値（例えば、１２８０ライン）に基づいて中間転写ベルト１１上に形成する。
また、シアンユニット（Ｃ）８のＬＥＤＨＥＡＤ３であるＬＥＤヘッド８２ｃを露光して、ＬＥＤヘッド８２ｃの他方の端部に所定ドット（例えば、１２８ドット）のラインのシアントナー像Ｃ６を設定値（例えば、１４０８ライン）に基づいて中間転写ベルト１１上に形成する。
【００７０】
このようにして中間転写ベルト１１上に作成された設定値（例えば、１２８ライン毎）に基づくライン状のレジストレーションマークをＬＥＤヘッド調整部３を構成するカラーセンサによって中間転写ベルト１１上に作成されたカラー画像の位置を検出する。
すなわち、カラーセンサ３がブラックトナー像Ｂ１を検出すると、ＣＰＵ２１に接続されているタイマ２７が作動し、シアントナー像Ｃ１が検出されるまでの時間を計測し、この計測された時間からブラックトナー像Ｂ１とシアントナー像Ｃ１の距離を演算する。この演算された値は、ＲＡＭ２３に格納される。
【００７１】
次に、カラーセンサ３がブラックトナー像Ｂ２を検出すると、ＣＰＵ２１に接続されているタイマ２７が作動し、シアントナー像Ｃ２が検出されるまでの時間を計測し、この計測された時間からブラックトナー像Ｂ１とシアントナー像Ｃ１の距離を演算する。この演算された値は、ＲＡＭ２３に格納される。
この計測されたブラックトナー像Ｂ１とブラックトナー像Ｂ２とから、ブラックトナー像Ｂ１とブラックトナー像Ｂ２の傾きを演算し、この傾きからブラックユニット（Ｋ）７のＬＥＤＨＥＡＤ２であるＬＥＤヘッド７２ｂの傾きを求める。
さらに、シアントナー像Ｃ１とシアントナー像Ｃ２とから、シアントナー像Ｃ１とシアントナー像Ｃ２の傾きを演算し、この傾きからシアンユニット（Ｃ）８のＬＥＤＨＥＡＤ２であるＬＥＤヘッド８２ｂの傾きを求める。
【００７２】
そして、このブラックユニット（Ｋ）７のＬＥＤＨＥＡＤ２であるＬＥＤヘッド７２ｂの傾きと、シアンユニット（Ｃ）８のＬＥＤＨＥＡＤ２であるＬＥＤヘッド８２ｂの傾きとを比較する。
この比較結果、計測されたブラックユニット（Ｋ）７のＬＥＤＨＥＡＤ２であるＬＥＤヘッド７２ｂの傾きと、シアンユニット（Ｃ）８のＬＥＤＨＥＡＤ２であるＬＥＤヘッド８２ｂの傾きとが設定値と同じ場合には、ＲＯＭ２２に記憶されているシアンユニット（Ｃ）８のＬＥＤＨＥＡＤ２であるＬＥＤヘッド８２ｂの設定値はそのままの値が維持される。
また、比較結果、計測されたブラックユニット（Ｋ）７のＬＥＤＨＥＡＤ２であるＬＥＤヘッド７２ｂの傾きと、シアンユニット（Ｃ）８のＬＥＤＨＥＡＤ２であるＬＥＤヘッド８２ｂの傾きとが設定値と異なる場合には、実際に中間転写ベルト１１上に作成されるシアントナー像Ｃ１，２の位置が、設定値に基づいて中間転写ベルト１１上に形成されるべき位置と一致するように、ＲＯＭ２２に記憶されているシアンユニット（Ｃ）８のＬＥＤＨＥＡＤ２であるＬＥＤヘッド８２ｂのデータを書き換える。
【００７３】
次に、カラーセンサ３がブラックトナー像Ｂ３を検出すると、ＣＰＵ２１に接続されているタイマ２７が作動し、シアントナー像Ｃ３が検出されるまでの時間を計測し、この計測された時間からブラックトナー像Ｂ３とシアントナー像Ｃ３の距離を演算する。この演算された値は、ＲＡＭ２３に格納される。
また、カラーセンサ３がブラックトナー像Ｂ４を検出すると、ＣＰＵ２１に接続されているタイマ２７が作動し、シアントナー像Ｃ４が検出されるまでの時間を計測し、この計測された時間からブラックトナー像Ｂ４とシアントナー像Ｃ４の距離を演算する。この演算された値は、ＲＡＭ２３に格納される。
この計測されたブラックトナー像Ｂ３とブラックトナー像Ｂ４とから、ブラックトナー像Ｂ３とブラックトナー像Ｂ４の傾きを演算し、この傾きからブラックユニット（Ｋ）７のＬＥＤＨＥＡＤ１であるＬＥＤヘッド７２ａの傾きを求める。
【００７４】
さらに、シアントナー像Ｃ３とシアントナー像Ｃ４とから、シアントナー像Ｃ３とシアントナー像Ｃ４の傾きを演算し、この傾きからシアンユニット（Ｃ）８のＬＥＤＨＥＡＤ１であるＬＥＤヘッド８２ａの傾きを求める。
そして、このブラックユニット（Ｋ）７のＬＥＤＨＥＡＤ１であるＬＥＤヘッド７２ａの傾きと、シアンユニット（Ｃ）８のＬＥＤＨＥＡＤ１であるＬＥＤヘッド８２ａの傾きとを比較する。
【００７５】
この比較結果、計測されたブラックユニット（Ｋ）７のＬＥＤＨＥＡＤ１であるＬＥＤヘッド７２ａの傾きと、シアンユニット（Ｃ）８のＬＥＤＨＥＡＤ１であるＬＥＤヘッド８２ａの傾きとが設定値と同じ場合には、ＲＯＭ２２に記憶されているシアンユニット（Ｃ）８のＬＥＤＨＥＡＤ１であるＬＥＤヘッド８２ａの設定値はそのままの値が維持される。
また、比較結果、計測されたブラックユニット（Ｋ）７のＬＥＤＨＥＡＤ１であるＬＥＤヘッド７２ａの傾きと、シアンユニット（Ｃ）８のＬＥＤＨＥＡＤ１であるＬＥＤヘッド８２ａの傾きとが設定値と異なる場合には、実際に中間転写ベルト１１上に作成されるシアントナー像Ｃ３，４の位置が、設定値に基づいて中間転写ベルト１１上に形成されるべき位置と一致するように、ＲＯＭ２２に記憶されているシアンユニット（Ｃ）８のＬＥＤＨＥＡＤ１であるＬＥＤヘッド８２ａのデータを書き換える。
【００７６】
次に、カラーセンサ３がブラックトナー像Ｂ５を検出すると、ＣＰＵ２１に接続されているタイマ２７が作動し、シアントナー像Ｃ５が検出されるまでの時間を計測し、この計測された時間からブラックトナー像Ｂ５とシアントナー像Ｃ５の距離を演算する。この演算された値は、ＲＡＭ２３に格納される。
また、カラーセンサ３がブラックトナー像Ｂ６を検出すると、ＣＰＵ２１に接続されているタイマ２７が作動し、シアントナー像Ｃ６が検出されるまでの時間を計測し、この計測された時間からブラックトナー像Ｂ６とシアントナー像Ｃ６の距離を演算する。この演算された値は、ＲＡＭ２３に格納される。
この計測されたブラックトナー像Ｂ５とブラックトナー像Ｂ６とから、ブラックトナー像Ｂ５とブラックトナー像Ｂ６の傾きを演算し、この傾きからブラックユニット（Ｋ）７のＬＥＤＨＥＡＤ３であるＬＥＤヘッド７２ｃの傾きを求める。
【００７７】
さらに、シアントナー像Ｃ５とシアントナー像Ｃ６とから、シアントナー像Ｃ５とシアントナー像Ｃ６の傾きを演算し、この傾きからシアンユニット（Ｃ）８のＬＥＤＨＥＡＤ３であるＬＥＤヘッド８２ｃの傾きを求める。
そして、このブラックユニット（Ｋ）７のＬＥＤＨＥＡＤ３であるＬＥＤヘッド７２ｃの傾きと、シアンユニット（Ｃ）８のＬＥＤＨＥＡＤ３であるＬＥＤヘッド８２ｃの傾きとを比較する。
【００７８】
この比較結果、計測されたブラックユニット（Ｋ）７のＬＥＤＨＥＡＤ３であるＬＥＤヘッド７２ｃの傾きと、シアンユニット（Ｃ）８のＬＥＤＨＥＡＤ３であるＬＥＤヘッド８２ｃの傾きとが設定値と同じ場合には、ＲＯＭ２２に記憶されているシアンユニット（Ｃ）８のＬＥＤＨＥＡＤ３であるＬＥＤヘッド８２ｃの設定値はそのままの値が維持される。
また、比較結果、計測されたブラックユニット（Ｋ）７のＬＥＤＨＥＡＤ３であるＬＥＤヘッド７２ｃの傾きと、シアンユニット（Ｃ）８のＬＥＤＨＥＡＤ３であるＬＥＤヘッド８２ｃの傾きとが設定値と異なる場合には、実際に中間転写ベルト１１上に作成されるシアントナー像Ｃ５，６の位置が、設定値に基づいて中間転写ベルト１１上に形成されるべき位置と一致するように、ＲＯＭ２２に記憶されているシアンユニット（Ｃ）８のＬＥＤＨＥＡＤ３であるＬＥＤヘッド８２ｃのデータを書き換える。
【００７９】
なお、図中、Ｂ７、Ｂ８、Ｂ９、Ｂ１０、Ｂ１１、Ｂ１２、Ｂ１３、Ｂ１４、Ｂ１５、Ｂ１６、Ｂ１７、Ｂ１８は、ブラックトナー像（ブラックレジストレーションマーク）を、Ｍ１、Ｍ２、Ｍ３、Ｍ４、Ｍ５、Ｍ６は、マゼンタトナー像（マゼンタレジストレーションマーク）を、Ｙ１、Ｙ２、Ｙ３、Ｙ４、Ｙ５、Ｙ６は、イエロートナー像（イエローレジストレーションマーク）をそれぞれ示している。
【００８０】
《ＬＥＤヘッドつなぎ目調整》
ＬＥＤヘッドつなぎ目調整は、ＬＥＤヘッドスキュー調整を行った後に行われる。このＬＥＤヘッドつなぎ目調整は、３本あるＬＥＤＨＥＡＤ１，２，３の各ＬＥＤＨＥＡＤの継ぎ目を調整するものである。
図４は、ＬＥＤヘッドつなぎ目調整を示す図である。
図４において、ＬＥＤＨＥＡＤ１，ＬＥＤＨＥＡＤ２，ＬＥＤＨＥＡＤ３が並ぶ方向を主走査方向、この主走査方向に垂直な方向を副走査方向とする。したがって、ＬＥＤヘッドつなぎ目のズレ調整には、主走査方向ＬＥＤヘッドつなぎ目調整と、副走査方向ＬＥＤヘッドつなぎ目調整とがある。
【００８１】
《主走査方向ＬＥＤヘッドつなぎ目調整》
まず、主走査方向ＬＥＤヘッドつなぎ目調整について説明する。
主走査方向ＬＥＤヘッドつなぎ目調整を行うに当たっては、ブラックユニット（Ｋ）７のＬＥＤＨＥＡＤ２であるＬＥＤヘッド７２ｂ、シアンユニット（Ｃ）８のＬＥＤＨＥＡＤ２であるＬＥＤヘッド８２ｂ、マゼンタユニット（Ｍ）９のＬＥＤＨＥＡＤ２であるＬＥＤヘッド９２ｂ、イエローユニット（Ｙ）１０のＬＥＤＨＥＡＤ２であるＬＥＤヘッド１０２ｂの両端に設定値に基づいてレジストレーションマークを形成し、両端のレジストレーションマークのズレを検出して、ＬＥＤヘッドのつなぎ目にズレがないか否かを検出している。
ブラックユニット（Ｋ）７のＬＥＤＨＥＡＤ１，２，３の主走査方向ＬＥＤヘッドつなぎ目のズレの調整も、シアンユニット（Ｃ）８のＬＥＤＨＥＡＤ１，２，３の主走査方向ＬＥＤヘッドつなぎ目のズレの調整も、マゼンタユニット（Ｍ）９のＬＥＤＨＥＡＤ１，２，３の主走査方向ＬＥＤヘッドつなぎ目のズレの調整も、イエローユニット（Ｙ）１０のＬＥＤＨＥＡＤ１，２，３の主走査方向ＬＥＤヘッドつなぎ目のズレの調整も同じ方法で行われるので、ここでは、ブラックユニット（Ｋ）７のＬＥＤＨＥＡＤ１，２，３の主走査方向ＬＥＤヘッドつなぎ目のズレの調整について説明し、他のシアンユニット（Ｃ）８のＬＥＤＨＥＡＤ１，２，３の主走査方向ＬＥＤヘッドつなぎ目のズレの調整、マゼンタユニット（Ｍ）９のＬＥＤＨＥＡＤ１，２，３の主走査方向ＬＥＤヘッドつなぎ目のズレの調整、イエローユニット（Ｙ）１０のＬＥＤＨＥＡＤ１，２，３の主走査方向ＬＥＤヘッドつなぎ目のズレの調整については、説明を省略する。
【００８２】
まず、ブラックユニット（Ｋ）７のＬＥＤＨＥＡＤ１であるＬＥＤヘッド７２ａを露光して、ＬＥＤヘッド７２ａのＬＥＤＨＥＡＤ２であるＬＥＤヘッド７２ｂとの重なり部となる側の端部に所定ドット（例えば、１２８ドット）のラインのブラックトナー像Ｂ１を中間転写ベルト１１上に形成する。
また、ブラックユニット（Ｋ）７のＬＥＤＨＥＡＤ２であるＬＥＤヘッド７２ｂを露光して、ＬＥＤヘッド７２ｂのＬＥＤＨＥＡＤ１であるＬＥＤヘッド７２ａとの重なり部となる側の端部に所定ドット（例えば、１２８ドット）のラインのブラックトナー像Ｂ２を設定値（例えば、１２８ライン）に基づいて中間転写ベルト１１上に形成する。
次に、ブラックユニット（Ｋ）７のＬＥＤＨＥＡＤ３であるＬＥＤヘッド７２ｃを露光して、ＬＥＤヘッド７２ｃのＬＥＤＨＥＡＤ２であるＬＥＤヘッド７２ｂとの重なり部となる側の端部に所定ドット（例えば、１２８ドット）のラインのブラックトナー像Ｂ３を設定値（例えば、２５６ライン）に基づいて中間転写ベルト１１上に形成する。
また、ブラックユニット（Ｋ）７のＬＥＤＨＥＡＤ２であるＬＥＤヘッド７２ｂを露光して、ＬＥＤヘッド７２ｂのＬＥＤＨＥＡＤ３であるＬＥＤヘッド７２ｃとの重なり部となる側の端部に所定ドット（例えば、１２８ドット）のラインのブラックトナー像Ｂ４を設定値（例えば、３８４ライン）に基づいて中間転写ベルト１１上に形成する。
【００８３】
カラーセンサ３がブラックトナー像Ｂ１を検出すると、ＣＰＵ２１に接続されているタイマ２７が作動し、ブラックトナー像Ｂ２が検出されるまでの時間を計測し、この計測された時間からブラックトナー像Ｂ１とブラックトナー像Ｂ２の距離を演算する。この演算された値は、ＲＯＭ２２に記憶されている設定値と比較される。
【００８４】
この比較結果、計測されたブラックトナー像Ｂ１とブラックトナー像Ｂ２の距離が設定値と同じ場合には、ＲＯＭ２２に記憶されている設定値はそのままの値が維持される。また、比較結果、計測されたブラックトナー像Ｂ１とブラックトナー像Ｂ２の距離が設定値と異なる場合には、実際に中間転写ベルト１１上に作成されるブラックトナー像Ｂ２の位置が、設定値に基づいて中間転写ベルト１１上に形成されるべき位置と一致するように、ＲＯＭ２２に記憶されているブラックトナー像Ｂ２の形成設定値を書き換える。
これによってブラックユニット（Ｋ）７のＬＥＤＨＥＡＤ１であるＬＥＤヘッド７２ａと、ブラックユニット（Ｋ）７のＬＥＤＨＥＡＤ２であるＬＥＤヘッド７２ｂの重なり部における主走査方向のズレが検出され、このズレを調整することで、ブラックユニット（Ｋ）７のＬＥＤＨＥＡＤ１とＬＥＤＨＥＡＤ２の主走査方向ＬＥＤヘッドつなぎ目のズレが調整される。
【００８５】
次に、カラーセンサ３がブラックトナー像Ｂ３を検出すると、ＣＰＵ２１に接続されているタイマ２７が作動し、ブラックトナー像Ｂ４が検出されるまでの時間を計測し、この計測された時間からブラックトナー像Ｂ３とブラックトナー像Ｂ４の距離を演算する。この演算された値は、ＲＯＭ２２に記憶されている設定値と比較される。
この比較結果、計測されたブラックトナー像Ｂ３とブラックトナー像Ｂ４の距離が設定値と同じ場合には、ＲＯＭ２２に記憶されている設定値はそのままの値が維持される。また、比較結果、計測されたブラックトナー像Ｂ３とブラックトナー像Ｂ４の距離が設定値と異なる場合には、実際に中間転写ベルト１１上に作成されるブラックトナー像Ｂ４の位置が、設定値に基づいて中間転写ベルト１１上に形成されるべき位置と一致するように、ＲＯＭ２２に記憶されているブラックトナー像Ｂ４の形成設定値を書き換える。
これによってブラックユニット（Ｋ）７のＬＥＤＨＥＡＤ３であるＬＥＤヘッド７２ｃと、ブラックユニット（Ｋ）７のＬＥＤＨＥＡＤ２であるＬＥＤヘッド７２ｂの重なり部における主走査方向のズレが検出され、このズレを調整することで、ブラックユニット（Ｋ）７のＬＥＤＨＥＡＤ３とＬＥＤＨＥＡＤ２の主走査方向ＬＥＤヘッドつなぎ目のズレが調整される。
【００８６】
《副走査方向ＬＥＤヘッドつなぎ目調整》
まず、副走査方向ＬＥＤヘッドつなぎ目調整について説明する。
副走査方向ＬＥＤヘッドつなぎ目調整を行うに当たっては、ブラックユニット（Ｋ）７のＬＥＤＨＥＡＤ２であるＬＥＤヘッド７２ｂ、シアンユニット（Ｃ）８のＬＥＤＨＥＡＤ２であるＬＥＤヘッド８２ｂ、マゼンタユニット（Ｍ）９のＬＥＤＨＥＡＤ２であるＬＥＤヘッド９２ｂ、イエローユニット（Ｙ）１０のＬＥＤＨＥＡＤ２であるＬＥＤヘッド１０２ｂの両端に設定値に基づいて１ドットずつずらして傾斜（例えば、４５゜）を持たせたレジストレーションマークを形成し、両端のレジストレーションマークのズレを検出して、副走査方向にＬＥＤヘッドのつなぎ目にズレがないか否かを検出している。
ブラックユニット（Ｋ）７のＬＥＤＨＥＡＤ１，２，３の副走査方向ＬＥＤヘッドつなぎ目のズレの調整も、シアンユニット（Ｃ）８のＬＥＤＨＥＡＤ１，２，３の副走査方向ＬＥＤヘッドつなぎ目のズレの調整も、マゼンタユニット（Ｍ）９のＬＥＤＨＥＡＤ１，２，３の副走査方向ＬＥＤヘッドつなぎ目のズレの調整も、イエローユニット（Ｙ）１０のＬＥＤＨＥＡＤ１，２，３の副走査方向ＬＥＤヘッドつなぎ目のズレの調整も同じ方法で行われるので、ここでは、ブラックユニット（Ｋ）７のＬＥＤＨＥＡＤ１，２，３の副走査方向ＬＥＤヘッドつなぎ目のズレの調整について説明し、他のシアンユニット（Ｃ）８のＬＥＤＨＥＡＤ１，２，３の副走査方向ＬＥＤヘッドつなぎ目のズレの調整、マゼンタユニット（Ｍ）９のＬＥＤＨＥＡＤ１，２，３の副走査方向ＬＥＤヘッドつなぎ目のズレの調整、イエローユニット（Ｙ）１０のＬＥＤＨＥＡＤ１，２，３の副走査方向ＬＥＤヘッドつなぎ目のズレの調整については、説明を省略する。
【００８７】
まず、ブラックユニット（Ｋ）７のＬＥＤＨＥＡＤ１であるＬＥＤヘッド７２ａを露光して、ＬＥＤヘッド７２ａのＬＥＤＨＥＡＤ２であるＬＥＤヘッド７２ｂとの重なり部となる側の端部に所定ドット（例えば、１２８ドット）のラインのブラックトナー像Ｂ５を１ドットずつずらして傾斜（例えば、４５゜）を持たせて中間転写ベルト１１上に形成する。
また、ブラックユニット（Ｋ）７のＬＥＤＨＥＡＤ２であるＬＥＤヘッド７２ｂを露光して、ＬＥＤヘッド７２ｂのＬＥＤＨＥＡＤ１であるＬＥＤヘッド７２ａとの重なり部となる側の端部に所定ドット（例えば、１２８ドット）のラインのブラックトナー像Ｂ６を設定値（例えば、１２８ライン）に基づいて１ドットずつずらして傾斜（例えば、４５゜）を持たせて中間転写ベルト１１上に形成する。
次に、ブラックユニット（Ｋ）７のＬＥＤＨＥＡＤ２であるＬＥＤヘッド７２ｂを露光して、ＬＥＤヘッド７２ｃのＬＥＤＨＥＡＤ２であるＬＥＤヘッド７２ｂとの重なり部となる側の端部に所定ドット（例えば、１２８ドット）のラインのブラックトナー像Ｂ７を設定値（例えば、２５６ライン）に基づいて１ドットずつずらして傾斜（例えば、４５゜）を持たせて中間転写ベルト１１上に形成する。
また、ブラックユニット（Ｋ）７のＬＥＤＨＥＡＤ２であるＬＥＤヘッド７２ｂを露光して、ＬＥＤヘッド７２ｂのＬＥＤＨＥＡＤ３であるＬＥＤヘッド７２ｃとの重なり部となる側の端部に所定ドット（例えば、１２８ドット）のラインのブラックトナー像Ｂ８を設定値（例えば、３８４ライン）に基づいて１ドットずつずらして傾斜（例えば、４５゜）を持たせて中間転写ベルト１１上に形成する。
【００８８】
カラーセンサ３がブラックトナー像Ｂ５を検出すると、ＣＰＵ２１に接続されているタイマ２７が作動し、ブラックトナー像Ｂ６が検出されるまでの時間を計測し、この計測された時間からブラックトナー像Ｂ５とブラックトナー像Ｂ６の距離を演算する。この演算された値は、ＲＯＭ２２に記憶されている設定値と比較される。
【００８９】
この比較結果、計測されたブラックトナー像Ｂ５とブラックトナー像Ｂ６の距離が設定値と同じ場合には、ＲＯＭ２２に記憶されている設定値はそのままの値が維持される。また、比較結果、計測されたブラックトナー像Ｂ５とブラックトナー像Ｂ６の距離が設定値と異なる場合には、実際に中間転写ベルト１１上に作成されるブラックトナー像Ｂ６の位置が、設定値に基づいて中間転写ベルト１１上に形成されるべき位置と一致するように、ＲＯＭ２２に記憶されているブラックトナー像Ｂ６の形成設定値を書き換える。
これによってブラックユニット（Ｋ）７のＬＥＤＨＥＡＤ１であるＬＥＤヘッド７２ａと、ブラックユニット（Ｋ）７のＬＥＤＨＥＡＤ２であるＬＥＤヘッド７２ｂの重なり部における副走査方向のズレが検出され、このズレを調整することで、ブラックユニット（Ｋ）７のＬＥＤＨＥＡＤ１とＬＥＤＨＥＡＤ２の副走査方向ＬＥＤヘッドつなぎ目のズレが調整される。
【００９０】
次に、カラーセンサ３がブラックトナー像Ｂ７を検出すると、ＣＰＵ２１に接続されているタイマ２７が作動し、ブラックトナー像Ｂ８が検出されるまでの時間を計測し、この計測された時間からブラックトナー像Ｂ７とブラックトナー像Ｂ８の距離を演算する。この演算された値は、ＲＯＭ２２に記憶されている設定値と比較される。
この比較結果、計測されたブラックトナー像Ｂ７とブラックトナー像Ｂ８の距離が設定値と同じ場合には、ＲＯＭ２２に記憶されている設定値はそのままの値が維持される。また、比較結果、計測されたブラックトナー像Ｂ７とブラックトナー像Ｂ８の距離が設定値と異なる場合には、実際に中間転写ベルト１１上に作成されるブラックトナー像Ｂ８の位置が、設定値に基づいて中間転写ベルト１１上に形成されるべき位置と一致するように、ＲＯＭ２２に記憶されているブラックトナー像Ｂ８の形成設定値を書き換える。
これによってブラックユニット（Ｋ）７のＬＥＤＨＥＡＤ３であるＬＥＤヘッド７２ｃと、ブラックユニット（Ｋ）７のＬＥＤＨＥＡＤ２であるＬＥＤヘッド７２ｂの重なり部における副走査方向のズレが検出され、このズレを調整することで、ブラックユニット（Ｋ）７のＬＥＤＨＥＡＤ３とＬＥＤＨＥＡＤ２の副走査方向ＬＥＤヘッドつなぎ目のズレが調整される。
【００９１】
なお、図中、Ｂ５、Ｂ６、Ｂ７、Ｂ８は、ブラックトナー像（ブラックレジストレーションマーク）を、Ｃ１、Ｃ２、Ｃ３、Ｃ４、Ｃ５、Ｃ６、Ｃ７、Ｃ８は、シアントナー像（シアンレジストレーションマーク）を、Ｍ１、Ｍ２、Ｍ３、Ｍ４、Ｍ５、Ｍ６、Ｍ７、Ｍ８は、マゼンタトナー像（マゼンタレジストレーションマーク）を、Ｙ１、Ｙ２、Ｙ３、Ｙ４、Ｙ５、Ｙ６、Ｙ７、Ｙ８は、イエロートナー像（イエローレジストレーションマーク）をそれぞれ示している。
【００９２】
《カラーレジスト調整》
カラーレジスト調整は、ブラックユニット（Ｋ）７、シアンユニット（Ｃ）８、マゼンタユニット（Ｍ）９、イエローユニット（Ｙ）１０の各色毎のズレ量を調整するものである。
カラー印刷におけるカラーレジスト調整は、全版１００％（ＣＹＭＫでは、Ｃが１００％、Ｙが１００％、Ｍが１００％、Ｋが１００％）の色（レジストレーションカラー）で、マーク（レジストレーションマーク）を印刷し、このマークにズレがないようにすることで色版ごとのずれを無くすことである。
【００９３】
図５は、カラーレジスト調整を示す図である。
図５において、ＬＥＤＨＥＡＤ１，ＬＥＤＨＥＡＤ２，ＬＥＤＨＥＡＤ３が並ぶ方向を主走査方向、この主走査方向に垂直な方向を副走査方向とする。したがって、カラーレジスト調整には、主走査方向カラーレジスト調整と、副走査方向カラーレジスト調整とがある。
図５には、ＬＥＤＨＥＡＤ１，ＬＥＤＨＥＡＤ２，ＬＥＤＨＥＡＤ３が示されているが、これらＬＥＤＨＥＡＤ１，２，３は、ブラックのレジストレーションマークを作成する場合は、ＬＥＤヘッド７２ａ，７２ｂ，７２ｃに相当するものである。
【００９４】
また、このＬＥＤＨＥＡＤ１，２，３は、シアンのレジストレーションマークを作成する場合は、ＬＥＤヘッド８２ａ，８２ｂ，８２ｃに相当するものである。
さらに、このＬＥＤＨＥＡＤ１，２，３は、マゼンタのレジストレーションマークを作成する場合は、ＬＥＤヘッド９２ａ，９２ｂ，９２ｃに相当するものである。
そして、このＬＥＤＨＥＡＤ１，２，３は、イエローのレジストレーションマークを作成する場合は、ＬＥＤヘッド１０２ａ，１０２ｂ，１０２ｃに相当するものである。
【００９５】
《主走査方向カラーレジスト調整》
まず、主走査方向カラーレジスト調整について説明する。
主走査方向カラーレジスト調整を行うに当たっては、ブラックユニット（Ｋ）７のＬＥＤ露光装置（ＬＥＤヘッド）７２、シアンユニット（Ｃ）８のＬＥＤ露光装置（ＬＥＤヘッド）８２、マゼンタユニット（Ｍ）９のＬＥＤ露光装置（ＬＥＤヘッド）９２、イエローユニット（Ｙ）１０のＬＥＤ露光装置（ＬＥＤヘッド）１０２を用いて、設定値（例えば、１２８ライン）に基づいてレジストレーションマークを作成して行う。
このレジストレーションマークの作成に当たっては、まず、ブラックユニット（Ｋ）７のＬＥＤ露光装置（ＬＥＤヘッド）７２を露光して、所定ドット（例えば、１２８ドット）のラインのブラックトナー像Ｂ１を中間転写ベルト１１上に形成する。この中間転写ベルト１１上に形成されたブラックのライン状のトナー像Ｂ１が、対シアンユニット（Ｃ）８のＬＥＤ露光装置（ＬＥＤヘッド）８２、対マゼンタユニット（Ｍ）９のＬＥＤ露光装置（ＬＥＤヘッド）９２、対イエローユニット（Ｙ）１０の基準となる。
【００９６】
次に、シアンユニット（Ｃ）８のＬＥＤ露光装置（ＬＥＤヘッド）８２を露光して、所定ドット（例えば、１２８ドット）のラインのシアントナー像Ｃ１を設定値（例えば、１２８ライン）に基づいて中間転写ベルト１１上に形成する。
また、ブラックユニット（Ｋ）７のＬＥＤ露光装置（ＬＥＤヘッド）７２を露光して、所定ドット（例えば、１２８ドット）のラインのブラックトナー像Ｂ２を設定値（例えば、２５６ライン）に基づいて中間転写ベルト１１上に形成する。
さらに、マゼンタユニット（Ｍ）９のＬＥＤ露光装置（ＬＥＤヘッド）９２を露光して、所定ドット（例えば、１２８ドット）のラインのマゼンタトナー像Ｍ１を設定値（例えば、３８４ライン）に基づいて中間転写ベルト１１上に形成する。
【００９７】
さらにまた、ブラックユニット（Ｋ）７のＬＥＤ露光装置（ＬＥＤヘッド）７２を露光して、所定ドット（例えば、１２８ドット）のラインのブラックトナー像Ｂ３を設定値（例えば、５１２ライン）に基づいて中間転写ベルト１１上に形成する。
そして、イエローユニット（Ｙ）１０のＬＥＤ露光装置（ＬＥＤヘッド）１０２を露光して、所定ドット（例えば、１２８ドット）のラインのイエロートナー像Ｙ１を設定値（例えば、６４０ライン）に基づいて中間転写ベルト１１上に形成する。
【００９８】
このようにして中間転写ベルト１１上に作成された設定値（例えば、１２８ライン毎）に基づいてライン状のレジストレーションマークをＬＥＤヘッド調整部３を構成するカラーセンサによって中間転写ベルト１１上に作成されたカラー画像の位置を検出する。
すなわち、カラーセンサ３がブラックトナー像Ｂ１を検出すると、ＣＰＵ２１に接続されているタイマ２７が作動し、シアントナー像Ｃ１が検出されるまでの時間を計測し、この計測された時間からブラックトナー像Ｂ１とシアントナー像Ｃ１の距離を演算する。この演算された値は、ＲＯＭ２２に記憶されている設定値と比較される。
【００９９】
この比較結果、計測されたブラックトナー像Ｂ１とシアントナー像Ｃ１の距離が設定値と同じ場合には、ＲＯＭ２２に記憶されている設定値はそのままの値が維持される。また、比較結果、計測されたブラックトナー像Ｂ１とシアントナー像Ｃ１の距離が設定値と異なる場合には、実際に中間転写ベルト１１上に作成されるシアントナー像Ｃ１の位置が、設定値に基づいて中間転写ベルト１１上に形成されるべき位置と一致するように、ＲＯＭ２２に記憶されているシアントナー像Ｃ１の形成設定値を書き換える。
【０１００】
次に、カラーセンサ３がブラックトナー像Ｂ２を検出すると、ＣＰＵ２１に接続されているタイマ２７が作動し、マゼンタトナー像Ｍ１が検出されるまでの時間を計測し、この計測された時間からブラックトナー像Ｂ２とマゼンタトナー像Ｍ１の距離を演算する。この演算された値は、ＲＯＭ２２に記憶されている設定値と比較される。
この比較結果、計測されたブラックトナー像Ｂ２とマゼンタトナー像Ｍ１の距離が設定値と同じ場合には、ＲＯＭ２２に記憶されている設定値はそのままの値が維持される。また、比較結果、計測されたブラックトナー像Ｂ２とマゼンタトナー像Ｍ１の距離が設定値と異なる場合には、実際に中間転写ベルト１１上に作成されるマゼンタトナー像Ｍ１の位置が、設定値に基づいて中間転写ベルト１１上に形成されるべき位置と一致するように、ＲＯＭ２２に記憶されているマゼンタトナー像Ｍ１の形成設定値を書き換える。
【０１０１】
さらに、カラーセンサ３がブラックトナー像Ｂ３を検出すると、ＣＰＵ２１に接続されているタイマ２７が作動し、イエロートナー像Ｙ１が検出されるまでの時間を計測し、この計測された時間からブラックトナー像Ｂ３とイエロートナー像Ｙ１の距離を演算する。この演算された値は、ＲＯＭ２２に記憶されている設定値と比較される。
この比較結果、計測されたブラックトナー像Ｂ３とイエロートナー像Ｙ１の距離が設定値と同じ場合には、ＲＯＭ２２に記憶されている設定値はそのままの値が維持される。また、比較結果、計測されたブラックトナー像Ｂ３とイエロートナー像Ｙ１の距離が設定値と異なる場合には、実際に中間転写ベルト１１上に作成されるイエロートナー像Ｙ１の位置が、設定値に基づいて中間転写ベルト１１上に形成されるべき位置と一致するように、ＲＯＭ２２に記憶されているイエロートナー像Ｙ１の形成設定値を書き換える。
このようにして主走査方向カラーレジスト調整を終了する。
【０１０２】
《副走査方向カラーレジスト調整》
まず、副走査方向カラーレジスト調整について説明する。
副走査方向カラーレジスト調整を行うに当たっては、ブラックユニット（Ｋ）７のＬＥＤ露光装置（ＬＥＤヘッド）７２、シアンユニット（Ｃ）８のＬＥＤ露光装置（ＬＥＤヘッド）８２、マゼンタユニット（Ｍ）９のＬＥＤ露光装置（ＬＥＤヘッド）９２、イエローユニット（Ｙ）１０のＬＥＤ露光装置（ＬＥＤヘッド）１０２を用いて、設定値（例えば、１２８ライン毎）に基づいて１ドットずつずらして傾斜（例えば、４５゜）を持たせたレジストレーションマークを作成して行う。
このレジストレーションマークの作成に当たっては、まず、ブラックユニット（Ｋ）７のＬＥＤ露光装置（ＬＥＤヘッド）７２を露光して、所定ドット（例えば、１２８ドット）のラインのブラックトナー像Ｂ４を中間転写ベルト１１上に１ドットずつずらして傾斜（例えば、４５゜）を持たせて形成する。この中間転写ベルト１１上に形成されたブラックのライン状のトナー像Ｂ４が、対シアンユニット（Ｃ）８のＬＥＤ露光装置（ＬＥＤヘッド）８２、対マゼンタユニット（Ｍ）９のＬＥＤ露光装置（ＬＥＤヘッド）９２、対イエローユニット（Ｙ）１０の基準となる。
【０１０３】
次に、シアンユニット（Ｃ）８のＬＥＤ露光装置（ＬＥＤヘッド）８２を露光して、所定ドット（例えば、１２８ドット）のラインのシアントナー像Ｃ２を設定値（例えば、１２８ライン）に基づいて中間転写ベルト１１上に１ドットずつずらして傾斜（例えば、４５゜）を持たせて形成する。
また、ブラックユニット（Ｋ）７のＬＥＤ露光装置（ＬＥＤヘッド）７２を露光して、所定ドット（例えば、１２８ドット）のラインのブラックトナー像Ｂ５を設定値（例えば、２５６ライン）に基づいて中間転写ベルト１１上に１ドットずつずらして傾斜（例えば、４５゜）を持たせて形成する。
さらに、マゼンタユニット（Ｍ）９のＬＥＤ露光装置（ＬＥＤヘッド）９２を露光して、所定ドット（例えば、１２８ドット）のラインのマゼンタトナー像Ｍ２を設定値（例えば、３８４ライン）に基づいて中間転写ベルト１１上に１ドットずつずらして傾斜（例えば、４５゜）を持たせて形成する。
【０１０４】
さらにまた、ブラックユニット（Ｋ）７のＬＥＤ露光装置（ＬＥＤヘッド）７２を露光して、所定ドット（例えば、１２８ドット）のラインのブラックトナー像Ｂ６を設定値（例えば、５１２ライン）に基づいて中間転写ベルト１１上に１ドットずつずらして傾斜（例えば、４５゜）を持たせて形成する。
そして、イエローユニット（Ｙ）１０のＬＥＤ露光装置（ＬＥＤヘッド）１０２を露光して、所定ドット（例えば、１２８ドット）のラインのイエロートナー像Ｙ２を設定値（例えば、６４０ライン）に基づいて中間転写ベルト１１上に１ドットずつずらして傾斜（例えば、４５゜）を持たせて形成する。
【０１０５】
このようにして中間転写ベルト１１上に作成された設定値（例えば、１２８ライン毎）に基づいくライン状のレジストレーションマークをＬＥＤヘッド調整部３を構成するカラーセンサによって中間転写ベルト１１上に作成されたカラー画像の位置（画像の中央の位置）を検出する。
すなわち、カラーセンサ３がブラックトナー像Ｂ４（画像の中央の位置）を検出すると、ＣＰＵ２１に接続されているタイマ２７が作動し、シアントナー像Ｃ２（画像の中央の位置）が検出されるまでの時間を計測し、この計測された時間からブラックトナー像Ｂ４とシアントナー像Ｃ２の距離を演算する。この演算された値は、ＲＯＭ２２に記憶されている設定値と比較される。
【０１０６】
この比較結果、計測されたブラックトナー像Ｂ４とシアントナー像Ｃ２の距離が設定値と同じ場合には、ＲＯＭ２２に記憶されている設定値はそのままの値が維持される。また、比較結果、計測されたブラックトナー像Ｂ４とシアントナー像Ｃ２の距離が設定値と異なる場合には、実際に中間転写ベルト１１上に作成されるシアントナー像Ｃ２の位置が、設定値に基づいて中間転写ベルト１１上に形成されるべき位置と一致するように、ＲＯＭ２２に記憶されているシアントナー像Ｃ２の形成設定値を書き換える。
【０１０７】
次に、カラーセンサ３がブラックトナー像Ｂ５（画像の中央の位置）を検出すると、ＣＰＵ２１に接続されているタイマ２７が作動し、マゼンタトナー像Ｍ２（画像の中央の位置）が検出されるまでの時間を計測し、この計測された時間からブラックトナー像Ｂ５とマゼンタトナー像Ｍ２の距離を演算する。この演算された値は、ＲＯＭ２２に記憶されている設定値と比較される。
この比較結果、計測されたブラックトナー像Ｂ５とマゼンタトナー像Ｍ２の距離が設定値と同じ場合には、ＲＯＭ２２に記憶されている設定値はそのままの値が維持される。また、比較結果、計測されたブラックトナー像Ｂ５とマゼンタトナー像Ｍ２の距離が設定値と異なる場合には、実際に中間転写ベルト１１上に作成されるマゼンタトナー像Ｍ２の位置が、設定値に基づいて中間転写ベルト１１上に形成されるべき位置と一致するように、ＲＯＭ２２に記憶されているマゼンタトナー像Ｍ２の形成設定値を書き換える。
【０１０８】
さらに、カラーセンサ３がブラックトナー像Ｂ６（画像の中央の位置）を検出すると、ＣＰＵ２１に接続されているタイマ２７が作動し、イエロートナー像Ｙ２（画像の中央の位置）が検出されるまでの時間を計測し、この計測された時間からブラックトナー像Ｂ６とイエロートナー像Ｙ２の距離を演算する。この演算された値は、ＲＯＭ２２に記憶されている設定値と比較される。
【０１０９】
この比較結果、計測されたブラックトナー像Ｂ６とイエロートナー像Ｙ２の距離が設定値と同じ場合には、ＲＯＭ２２に記憶されている設定値はそのままの値が維持される。また、比較結果、計測されたブラックトナー像Ｂ６とイエロートナー像Ｙ２の距離が設定値と異なる場合には、実際に中間転写ベルト１１上に作成されるイエロートナー像Ｙ２の位置が、設定値に基づいて中間転写ベルト１１上に形成されるべき位置と一致するように、ＲＯＭ２２に記憶されているイエロートナー像Ｙ２の形成設定値を書き換える。
このようにして副走査方向カラーレジスト調整を終了する。
【０１１０】
次に、ＬＥＤヘッド調整部３を用いてトナー像の形成位置の自動調整について図６〜図８に図示のフローチャートを用いて説明する。
図において、スイッチ２８を投入すると、ステップ２００において、ＲＯＭ２２に記憶されている設定値に基づいて、所定タイミングで中間転写ベルト１１にＬＥＤ露光装置（ＬＥＤヘッド）２５を駆動して、図３に図示のＬＥＤヘッドスキュー調整パターンにしたがって、ＬＥＤヘッドスキュー調整用のレジストレーションマークを形成する。
【０１１１】
ＬＥＤヘッドスキュー調整用のレジストレーションマークは、ブラックユニット（Ｋ）７と、シアンユニット（Ｃ）８と、マゼンタユニット（Ｍ）９と、イエローユニット（Ｙ）１０のそれぞれについて、ＬＥＤＨＥＡＤ１，２，３の各色のＬＥＤヘッドの両端を用いて、中間転写ベルト１１上に線状に形成する。
ブラックのレジストレーションマークを作成する場合は、ＬＥＤヘッド７２ａ，７２ｂ，７２ｃを用いて、ブラックトナー像Ｂ１〜Ｂ１８を設定値に基づいて中間転写ベルト１１上に形成する。
【０１１２】
また、シアンのレジストレーションマークを作成する場合は、ＬＥＤヘッド８２ａ，８２ｂ，８２ｃを用いて、シアントナー像Ｃ１〜Ｃ６を設定値に基づいて中間転写ベルト１１上に形成する。
さらに、マゼンタのレジストレーションマークを作成する場合は、ＬＥＤヘッド９２ａ，９２ｂ，９２ｃを用いて、マゼンタトナー像Ｍ１〜Ｍ６を設定値に基づいて中間転写ベルト１１上に形成する。
そして、イエローのレジストレーションマークを作成する場合は、ＬＥＤヘッド１０２ａ，１０２ｂ，１０２ｃを用いて、イエロートナー像Ｙ１〜Ｙ６を設定値に基づいて中間転写ベルト１１上に形成する。
【０１１３】
このステップ２００においてＬＥＤヘッドスキュー調整用のレジストレーションマークを中間転写ベルト１１上に形成すると、ステップ２０１において、中間転写ベルト１１に形成されたＬＥＤヘッドスキュー調整用のレジストレーションマーク（ブラックトナー像Ｂ１〜Ｂ１８、シアントナー像Ｃ１〜Ｃ６、マゼンタトナー像Ｍ１〜Ｍ６、イエロートナー像Ｙ１〜Ｙ６）のそれぞれの位置を計測する。
このステップ２０１において中間転写ベルト１１に形成されたＬＥＤヘッドスキュー調整用のレジストレーションマークのそれぞれの位置を計測すると、ステップ２０２において、中間転写ベルト１１上に形成されたそれぞれのレジストレーションマークの位置の計測結果に基づいて、ＲＯＭ２２に記憶されているスキュー調整用レジストレーションマークの設定値と、中間転写ベルト１１上に形成されたレジストレーションマークの計測値とを比較する。
【０１１４】
このステップ２０２においてＲＯＭ２２に記憶されているスキュー調整用レジストレーションマークの設定値と、中間転写ベルト１１上に形成されたレジストレーションマークの計測値とを比較すると、ステップ２０３において、各色毎に設けられている３数本のＬＥＤＨＥＡＤ１，２，３の各レジストレーションマークの両端のトナー像から各色のＬＥＤＨＥＡＤ１，２，３の傾きを計測する。
このステップ２０３において３数本のＬＥＤＨＥＡＤ１，２，３の各レジストレーションマークの両端のトナー像から各色のＬＥＤＨＥＡＤ１，２，３の傾きを計測すると、ステップ２０４において、設定値に基づくトナー像の位置と中間転写ベルト１１上に形成されたトナー像の位置とが一致するか否かを判定する。
【０１１５】
このステップ２０４において設定値に基づくトナー像の位置と中間転写ベルト１１上に形成されたトナー像の位置とが一致すると判定すると、ステップ２０６に移る。また、ステップ２０４において設定値に基づくトナー像の位置と中間転写ベルト１１上に形成されたトナー像の位置とが一致しないと判定すると、ステップ２０５において、形成されるトナー像が設定値に基づくトナー像になるようにＲＯＭ２２に記憶されている設定値のデータを書き換える。
この一連の動作は、全てのＬＥＤヘッド７２ａ，７２ｂ，７２ｃ、ＬＥＤヘッド８２ａ，８２ｂ，８２ｃ、ＬＥＤヘッド９２ａ，９２ｂ，９２ｃ、ＬＥＤヘッド１０２ａ，１０２ｂ，１０２ｃ、について行われる。すなわち、各色毎に設けられている３数本のＬＥＤＨＥＡＤ１，２，３の各レジストレーションマークの両端のトナー像から各色のＬＥＤＨＥＡＤ１，２，３の全ての傾きを計測し、この計測に基づいて形成されるトナー像が、設定値に基づく位置にトナー像が形成されるようにＲＯＭ２２に記憶されている設定値のデータを全て書き換えてＬＥＤヘッドスキュー調整を終了する。
【０１１６】
このＬＥＤヘッドスキュー調整を終了すると、ＬＥＤヘッドつなぎ目調整を行う。
ステップ２０６において、所定タイミングで中間転写ベルト１１上にＬＥＤ露光装置（ＬＥＤヘッド）２５を駆動して、図４の上段に図示のＬＥＤヘッドつなぎ目調整パターンにしたがって、ＬＥＤヘッドつなぎ目調整用のレジストレーションマークを各色別にＬＥＤＨＥＡＤ１とＬＥＤＨＥＡＤ２の重なり部と、ＬＥＤＨＥＡＤ２とＬＥＤＨＥＡＤ３の重なり部の位置に形成する。このＬＥＤヘッドつなぎ目のズレ調整には、ＬＥＤＨＥＡＤ１，ＬＥＤＨＥＡＤ２，ＬＥＤＨＥＡＤ３が並ぶ方向の主走査方向ＬＥＤヘッドつなぎ目調整と、主走査方向に垂直な方向の副走査方向ＬＥＤヘッドつなぎ目調整とがある。
ＬＥＤヘッドつなぎ目調整用のレジストレーションマークは、ブラックユニット（Ｋ）７と、シアンユニット（Ｃ）８と、マゼンタユニット（Ｍ）９と、イエローユニット（Ｙ）１０のそれぞれについて、各色のＬＥＤＨＥＡＤ１とＬＥＤＨＥＡＤ２の重なり部と、ＬＥＤＨＥＡＤ２とＬＥＤＨＥＡＤ３の重なり部の位置に形成する。
【０１１７】
このステップ２０６においてＬＥＤヘッドつなぎ目調整用のレジストレーションマークを各色別に中間転写ベルト１１上に形成すると、ステップ２０７において、中間転写ベルト１１上に形成されたＬＥＤヘッドの主走査方向つなぎ目調整用のレジストレーションマーク（ブラックトナー像Ｂ１〜Ｂ４、シアントナー像Ｃ１〜Ｃ４、マゼンタトナー像Ｍ１〜Ｍ４、イエロートナー像Ｙ１〜Ｙ４）のそれぞれの位置を計測する。
このステップ２０７において中間転写ベルト１１上に形成されたＬＥＤヘッドの主走査方向つなぎ目調整用のレジストレーションマークの位置を計測すると、ステップ２０８において、中間転写ベルト１１上に形成されたそれぞれのレジストレーションマークの位置の計測結果に基づいて、ＲＯＭ２２に記憶されている主走査方向つなぎ目調整用レジストレーションマークの設定値と、中間転写ベルト１１上に形成された主走査方向つなぎ目調整用レジストレーションマークの計測値とを比較する。
【０１１８】
このステップ２０８においてＲＯＭ２２に記憶されている主走査方向つなぎ目調整用レジストレーションマークの設定値と、中間転写ベルト１１上に形成された主走査方向つなぎ目調整用レジストレーションマークの計測値とを比較すると、ステップ２０９において、各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置に中間転写ベルト１１上に形成した各レジストレーションマークから各ヘッド間の主走査方向のズレを計測する。
このステップ２０９において各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置に中間転写ベルト１１上に形成した各レジストレーションマークから各ヘッド間の主走査方向のズレを計測すると、ステップ２１０において、設定値に基づくトナー像の位置と中間転写ベルト１１上に形成されたトナー像の位置とが一致するか否かを判定する。
【０１１９】
このステップ２１０において設定値に基づくトナー像の位置と中間転写ベルト１１上に形成されたトナー像の位置とが一致すると判定すると、ステップ２１２に移る。また、テップ２１０において設定値に基づくトナー像の位置と中間転写ベルト１１上に形成されたトナー像の位置とが一致しないと判定すると、ステップ２１１において、中間転写ベルト１１上に形成されるトナー像が設定値に基づくトナー像になるようにＲＯＭ２２に記憶されている設定値のデータを書き換える。
このＬＥＤヘッドのつなぎ目の主走査方向ＬＥＤヘッドつなぎ目調整についての一連の動作は、全てのＬＥＤヘッド７２ａ，７２ｂ，７２ｃ、ＬＥＤヘッド８２ａ，８２ｂ，８２ｃ、ＬＥＤヘッド９２ａ，９２ｂ，９２ｃ、ＬＥＤヘッド１０２ａ，１０２ｂ，１０２ｃについて、各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置に中間転写ベルト１１上に形成した各レジストレーションマークから各ヘッド間の主走査方向のＬＥＤヘッドつなぎ目におけるズレについて行う。
すなわち、各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置のズレをなくし、形成されるトナー像が設定値に基づくトナー像になるようにＲＯＭ２２に記憶されている設定値のデータを全て書き換えて主走査方向ＬＥＤヘッドつなぎ目調整を終了する。
【０１２０】
この主走査方向ＬＥＤヘッドつなぎ目調整を終了すると、副走査方向ＬＥＤヘッドつなぎ目調整を行う。
ステップ２１２において、所定タイミングで中間転写ベルト１１上にＬＥＤ露光装置（ＬＥＤヘッド）２５を駆動して、図４の下段に図示のＬＥＤヘッドつなぎ目調整パターンにしたがって、ＬＥＤヘッドつなぎ目調整用のレジストレーションマークを各色別にＬＥＤＨＥＡＤ１とＬＥＤＨＥＡＤ２の重なり部と、ＬＥＤＨＥＡＤ２とＬＥＤＨＥＡＤ３の重なり部の位置に１ドットずつずらして傾斜（例えば、４５゜）を持たせて形成する。
ＬＥＤヘッドつなぎ目調整用のレジストレーションマークは、ブラックユニット（Ｋ）７と、シアンユニット（Ｃ）８と、マゼンタユニット（Ｍ）９と、イエローユニット（Ｙ）１０のそれぞれについて、各色のＬＥＤＨＥＡＤ１とＬＥＤＨＥＡＤ２の重なり部と、ＬＥＤＨＥＡＤ２とＬＥＤＨＥＡＤ３の重なり部の位置に１ドットずつずらして傾斜（例えば、４５゜）を持たせて形成する。
【０１２１】
このステップ２１２において副走査方向ＬＥＤヘッドつなぎ目調整用のレジストレーションマークを各色別に中間転写ベルト１１上に１ドットずつずらして傾斜（例えば、４５゜）を持たせて形成すると、ステップ２１３において、中間転写ベルト１１上に形成されたＬＥＤヘッドの副走査方向つなぎ目調整用のレジストレーションマーク（ブラックトナー像Ｂ１〜Ｂ４、シアントナー像Ｃ１〜Ｃ４、マゼンタトナー像Ｍ１〜Ｍ４、イエロートナー像Ｙ１〜Ｙ４）のそれぞれの位置を計測する。
このステップ２１３において中間転写ベルト１１上に形成されたＬＥＤヘッドの副走査方向つなぎ目調整用のレジストレーションマークの位置を計測すると、ステップ２１４において、中間転写ベルト１１上に形成されたそれぞれのレジストレーションマークの位置の計測結果に基づいて、ＲＯＭ２２に記憶されている副走査方向つなぎ目調整用レジストレーションマークの設定値と、中間転写ベルト１１上に形成された副走査方向つなぎ目調整用レジストレーションマークの計測値とを比較する。
【０１２２】
このステップ２１４においてＲＯＭ２２に記憶されている副走査方向つなぎ目調整用レジストレーションマークの設定値と、中間転写ベルト１１上に形成された副走査方向つなぎ目調整用レジストレーションマークの計測値とを比較すると、ステップ２１５において、各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置に中間転写ベルト１１上に１ドットずつずらして傾斜（例えば、４５゜）を持たせて形成した各レジストレーションマークから各ヘッド間の副走査方向のズレを計測する。
【０１２３】
このステップ２１５において各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置に中間転写ベルト１１上に１ドットずつずらして傾斜（例えば、４５゜）を持たせて形成した各レジストレーションマークから各ヘッド間の副走査方向のズレを計測すると、ステップ２１６において、設定値に基づくトナー像の位置と中間転写ベルト１１上に形成されたトナー像の位置とが一致するか否かを判定する。
このステップ２１６において設定値に基づくトナー像の位置と中間転写ベルト１１上に形成されたトナー像の位置とが一致すると判定すると、ステップ２１８に移る。また、ステップ２１６において設定値に基づくトナー像の位置と中間転写ベルト１１上に形成されたトナー像の位置とが一致しないと判定すると、ステップ２１７において、中間転写ベルト１１上に形成されるトナー像が設定値に基づくトナー像になるようにＲＯＭ２２に記憶されている設定値のデータを書き換える。
【０１２４】
このＬＥＤヘッドのつなぎ目の副走査方向ＬＥＤヘッドつなぎ目調整についての一連の動作は、全てのＬＥＤヘッド７２ａ，７２ｂ，７２ｃ、ＬＥＤヘッド８２ａ，８２ｂ，８２ｃ、ＬＥＤヘッド９２ａ，９２ｂ，９２ｃ、ＬＥＤヘッド１０２ａ，１０２ｂ，１０２ｃについて、各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置に中間転写ベルト１１上に１ドットずつずらして傾斜（例えば、４５゜）を持たせて形成した各レジストレーションマークから各ヘッド間の副走査方向のＬＥＤヘッドつなぎ目におけるズレについて行う。
すなわち、各色毎に設けられている３数本のＬＥＤＨＥＡＤ１，２，３のＬＥＤＨＥＡＤ１とＬＥＤＨＥＡＤ２の重なり部と、ＬＥＤＨＥＡＤ２とＬＥＤＨＥＡＤ３の重なり部の位置のズレをなくし、形成されるトナー像が設定値に基づくトナー像になるようにＲＯＭ２２に記憶されている設定値のデータを全て書き換えて副走査方向ＬＥＤヘッドつなぎ目調整を終了する。
【０１２５】
この副走査方向ＬＥＤヘッドつなぎ目調整を終了すると、ブラックユニット（Ｋ）７、アンユニット（Ｃ）８、マゼンタユニット（Ｍ）９、イエローユニット（Ｙ）１０の各色毎のズレ量を調整するカラーレジスト調整を行う。
ステップ２１８において、所定タイミングで中間転写ベルト１１上にＬＥＤ露光装置（ＬＥＤヘッド）２５を駆動して、図５の上段に図示の主走査方向ＬＥＤヘッドカラーレジスト調整パターンにしたがって、主走査方向ＬＥＤヘッドカラーレジスト調整用のレジストレーションマークを各色別にＬＥＤＨＥＡＤ１とＬＥＤＨＥＡＤ２の重なり部の位置に形成する。
主走査方向ＬＥＤヘッドカラーレジスト調整用のレジストレーションマークは、ブラックユニット（Ｋ）７と、シアンユニット（Ｃ）８と、マゼンタユニット（Ｍ）９と、イエローユニット（Ｙ）１０のそれぞれについて、各色のＬＥＤＨＥＡＤ１とＬＥＤＨＥＡＤ２の重なり部の位置にＢ１，Ｃ１，Ｂ２，Ｍ１，Ｂ３，Ｙ１と形成する。
【０１２６】
このステップ２１８において主走査方向ＬＥＤヘッドカラーレジスト調整用のレジストレーションマークＢ１，Ｃ１，Ｂ２，Ｍ１，Ｂ３，Ｙ１を各色別に中間転写ベルト１１上に形成すると、ステップ２１９において、中間転写ベルト１１上に形成されたＬＥＤヘッドの主走査方向のカラーレジスト調整用のレジストレーションマーク（ブラックトナー像Ｂ１〜Ｂ３、シアントナー像Ｃ１、マゼンタトナー像Ｍ１、イエロートナー像Ｙ１）のそれぞれの位置を計測する。
このステップ２１９において中間転写ベルト１１上に形成されたＬＥＤヘッドの主走査方向ＬＥＤヘッドカラーレジスト調整用のレジストレーションマークの位置を計測すると、ステップ２２０において、中間転写ベルト１１上に形成されたそれぞれのレジストレーションマークの位置の計測結果に基づいて、ＲＯＭ２２に記憶されている主走査方向ＬＥＤヘッドカラーレジスト調整用レジストレーションマークの設定値と、中間転写ベルト１１上に形成された主走査方向ＬＥＤヘッドカラーレジスト調整用レジストレーションマークの計測値とを比較する。
【０１２７】
このステップ２２０においてＲＯＭ２２に記憶されている主走査方向ＬＥＤヘッドカラーレジスト調整用レジストレーションマークの設定値と、中間転写ベルト１１上に形成された主走査方向ＬＥＤヘッドカラーレジスト調整用レジストレーションマークの計測値とを比較すると、ステップ２２１において、各色毎に設けられている３数本のＬＥＤＨＥＡＤ１，２，３のＬＥＤＨＥＡＤ１とＬＥＤＨＥＡＤ２の重なり部の位置に中間転写ベルト１１上に形成した各レジストレーションマークから各ヘッド間の主走査方向のズレを計測する。
このステップ２２１において各色毎に設けられている３数本のＬＥＤＨＥＡＤ１，２，３のＬＥＤＨＥＡＤ１とＬＥＤＨＥＡＤ２の重なり部の位置に中間転写ベルト１１上に形成した各レジストレーションマークから各ヘッド間の主走査方向のズレを計測すると、ステップ２２２において、設定値に基づくトナー像の位置と中間転写ベルト１１上に形成されたトナー像の位置とが一致するか否かを判定する。
【０１２８】
このステップ２２２において設定値に基づくトナー像の位置と中間転写ベルト１１上に形成されたトナー像の位置とが一致すると判定すると、ステップ２２４に移る。また、テップ２２２において設定値に基づくトナー像の位置と中間転写ベルト１１上に形成されたトナー像の位置とが一致しないと判定すると、ステップ２２３において、中間転写ベルト１１上に形成されるトナー像が設定値に基づくトナー像になるようにＲＯＭ２２に記憶されている設定値のデータを書き換える。
このＬＥＤヘッドの主走査方向のカラーレジストの調整についての一連の動作は、各色毎に設けられているＬＥＤＨＥＡＤ１とＬＥＤＨＥＡＤ２の重なり部の位置に中間転写ベルト１１上に形成した各レジストレーションマークから各ヘッド間の主走査方向のＬＥＤヘッドのカラーレジストについて行う。すなわち、各色毎に設けられているＬＥＤＨＥＡＤ１とＬＥＤＨＥＡＤ２の重なり部の位置の主走査方向のカラーズレをなくし、形成されるトナー像が設定値に基づくトナー像になるようにＲＯＭ２２に記憶されている設定値のデータを全て書き換えて主走査方向ＬＥＤヘッドカラーレジスト調整を終了する。
【０１２９】
この主走査方向ＬＥＤヘッドカラーレジスト調整を終了すると、副走査方向ＬＥＤヘッドカラーレジスト調整を行う。
ステップ２２４において、所定タイミングで中間転写ベルト１１上にＬＥＤ露光装置（ＬＥＤヘッド）２５を駆動して、図５の下段に図示の副走査方向ＬＥＤヘッドカラーレジスト調整パターンにしたがって、副走査方向ＬＥＤヘッドカラーレジスト調整用のレジストレーションマークを各色別にＬＥＤＨＥＡＤ１とＬＥＤＨＥＡＤ２の重なり部の位置に１ドットずつずらして傾斜（例えば、４５゜）を持たせて形成する。
副走査方向ＬＥＤヘッドカラーレジスト調整用のレジストレーションマークは、ブラックユニット（Ｋ）７と、シアンユニット（Ｃ）８と、マゼンタユニット（Ｍ）９と、イエローユニット（Ｙ）１０のそれぞれについて、各色のＬＥＤＨＥＡＤ１とＬＥＤＨＥＡＤ２の重なり部の位置にＢ１，Ｃ１，Ｂ２，Ｍ１，Ｂ３，Ｙ１と１ドットずつずらして傾斜（例えば、４５゜）を持たせて形成する。
【０１３０】
このステップ２２４において副走査方向ＬＥＤヘッドカラーレジスト調整用のレジストレーションマークＢ４，Ｃ２，Ｂ５，Ｍ２，Ｂ６，Ｙ２を各色別に中間転写ベルト１１上に１ドットずつずらして傾斜（例えば、４５゜）を持たせて形成すると、ステップ２２５において、中間転写ベルト１１上に形成されたＬＥＤヘッドの主走査方向のカラーレジスト調整用のレジストレーションマーク（ブラックトナー像Ｂ３〜Ｂ６、シアントナー像Ｃ２、マゼンタトナー像Ｍ２、イエロートナー像Ｙ２）のそれぞれの位置を計測する。
このステップ２２５において中間転写ベルト１１上に１ドットずつずらして傾斜（例えば、４５゜）を持たせて形成されたＬＥＤヘッドのカラーレジスト調整用のレジストレーションマーク（Ｂ４，Ｃ２，Ｂ５，Ｍ２，Ｂ６，Ｙ２）の位置を計測すると、ステップ２２６において、中間転写ベルト１１上に形成されたそれぞれのレジストレーションマークの位置の計測結果に基づいて、ＲＯＭ２２に記憶されている副走査方向ＬＥＤヘッドカラーレジスト調整用レジストレーションマークの設定値と、中間転写ベルト１１上に形成された副走査方向ＬＥＤヘッドカラーレジスト調整用レジストレーションマークの計測値とを比較する。
【０１３１】
このステップ２２６においてＲＯＭ２２に記憶されている副走査方向ＬＥＤヘッドカラーレジスト調整用レジストレーションマークの設定値と、中間転写ベルト１１上に形成された副走査方向ＬＥＤヘッドカラーレジスト調整用レジストレーションマークの計測値とを比較すると、ステップ２２７において、各色毎に設けられている３数本のＬＥＤＨＥＡＤ１，２，３のＬＥＤＨＥＡＤ１とＬＥＤＨＥＡＤ２の重なり部の位置に中間転写ベルト１１上に１ドットずつずらして傾斜（例えば、４５゜）を持たせて形成した各レジストレーションマークから各ヘッド間の主走査方向のズレを計測する。
このステップ２２７において各色毎に設けられている３数本のＬＥＤＨＥＡＤ１，２，３のＬＥＤＨＥＡＤ１とＬＥＤＨＥＡＤ２の重なり部の位置に中間転写ベルト１１上に１ドットずつずらして傾斜（例えば、４５゜）を持たせて形成した各レジストレーションマークから各ヘッド間の主走査方向のズレを計測すると、ステップ２２８において、設定値に基づくトナー像の位置と中間転写ベルト１１上に形成されたトナー像の位置とが一致するか否かを判定する。
【０１３２】
このステップ２２８において設定値に基づくトナー像の位置と中間転写ベルト１１上に形成されたトナー像の位置とが一致すると判定すると、このフローを終了する。
また、ステップ２２８において設定値に基づくトナー像の位置と中間転写ベルト１１上に形成されたトナー像の位置とが一致しないと判定すると、ステップ２２９において、中間転写ベルト１１上に形成されるトナー像が設定値に基づくトナー像になるようにＲＯＭ２２に記憶されている設定値のデータを書き換える。
このＬＥＤヘッドの主走査方向のカラーレジストの調整についての一連の動作は、各色毎に設けられているＬＥＤＨＥＡＤ１とＬＥＤＨＥＡＤ２の重なり部の位置に中間転写ベルト１１上に形成した各レジストレーションマークから各ヘッド間の副走査方向のＬＥＤヘッドのカラーレジストについて行う。すなわち、各色毎に設けられているＬＥＤＨＥＡＤ１とＬＥＤＨＥＡＤ２の重なり部の位置の副走査方向のカラーズレをなくし、形成されるトナー像が設定値に基づくトナー像になるようにＲＯＭ２２に記憶されている設定値のデータを全て書き換えて副走査方向ＬＥＤヘッドカラーレジスト調整を終了する。
この副走査方向ＬＥＤヘッドカラーレジスト調整を終了すると、このフローを終了する。
【符号の説明】
【０１３３】
１……………カラー画像形成装置
２……………カラー画像形成部
３……………ＬＥＤヘッド調整部
４……………ロール紙給紙部
５……………搬送手段
６……………定着装置
７……………ブラックユニットＫ
８……………シアンユニットＣ
９……………マゼンタユニットＭ
１０…………イエローユニットＹ
１１…………中間転写ベルト
１２…………転写材
１３…………駆動ローラ
１４…………テンションローラ
１５…………従動ローラ
１６…………二次転写装置
２０…………制御回路
２１…………ＣＰＵ
２２…………ＲＯＭ
２３…………ＲＡＭ
２４…………Ｉ／Ｏポート
２５…………ＬＥＤ露光装置（ＬＥＤヘッド）
２６…………カラーセンサ
２７…………タイマ
２８…………スイッチ
【図１】
0006011767.tif 000002
【図２】
0006011767.tif 000003
【図３】
0006011767.tif 000004
【図４】
0006011767.tif 000005
【図５】
0006011767.tif 000006
【図６】
0006011767.tif 000007
【図７】
0006011767.tif 000008
【図８】
0006011767.tif 000009